(57)【特許請求の範囲】
【請求項１】
測定対象となる複数の光ファイバに関する光ファイバ管理情報を表形式で表示する表示部と、
前記表示部によって表形式で表示された前記測定対象となる複数の光ファイバに関する光ファイバ管理情報の中から測定すべき任意の光ファイバを選択する操作部と、
前記操作部によって選択された任意の光ファイバの各種特性を前記測定対象となる複数の光ファイバに関する光ファイバ管理情報の中の対応する光ファイバ管理情報に基づいて測定された前記任意の光ファイバの各種特性の測定データとそれの前記対応する光ファイバ管理情報とを対応付けて記憶する記憶部とを具備し、
前記表示部は、前記記憶部に対応付けて記憶された前記任意の光ファイバの各種特性の測定データとそれの前記対応する光ファイバ管理情報とを所定の形態で表示可能とするオプチカルタイムドメインリフレクトメータにおいて、
前記光ファイバ管理情報として、前記測定対象となる複数の光ファイバに関する各種情報及び施工場所に関する情報を含む敷設／保守工事の施工前に事前に与えられた光ファイバ管理情報を基に前記測定対象となる複数の光ファイバと該複数の光ファイバを測定した際の各測定データとの関連付けをするための表ファイルであって、前記測定対象となる複数の光ファイバと該複数の光ファイバを測定した際の各測定データとの関連付けを前記敷設／保守工事の施工時に編集可能に作成されている前記表ファイルを外部から読み込む表ファイル読み込み手段と、
前記表ファイル読み込み手段によって読み込まれた前記表ファイルの編集をする表ファイル編集手段と、
前記表ファイル読み込み手段によって読み込まれた前記表ファイル及び前記表ファイル編集手段によって前記編集をされた表ファイルに基づき前記測定対象となる光ファイバを測定する光ファイバ特性測定手段とをさらに具備し、
前記記憶部は、
前記光ファイバ特性測定手段によって測定された前記測定対象となる複数の光ファイバと該複数の光ファイバの各測定データとが関連付けされた測定結果データを記憶する測定結果記憶手段と、
前記表ファイル編集手段によって前記表ファイルの編集をした際の編集内容と当該編集内容に基づき前記光ファイバ特性測定手段によって測定された測定結果データを表す編集結果データとを記憶する編集結果記憶手段とを含み、
前記表示部は、少なくとも、前記表ファイル読み込み手段によって読み込まれた前記表ファイルに対応して前記測定対象となる複数の光ファイバを一覧可能に表示する表形式の画面と、前記光ファイバ測定手段によって測定された前記測定対象となる複数の光ファイバと該複数の光ファイバの各測定データとを関連付けて表示する画面とを選択的に表示可能とし、
前記表ファイル編集手段は、前記表ファイルの編集をするときに、前記測定対象となる複数の光ファイバを一覧可能に表示する表形式の画面を前記表示部に表示させることにより、前記表ファイルの編集を可能とし、
前記光ファイバ特性測定手段は、前記測定対象となる複数の光ファイバを測定するときに、前記測定対象となる複数の光ファイバと該複数の光ファイバの各測定データとを関連付けて表示する画面を前記表示部に表示させ、
前記光ファイバ特性測定手段によって測定された前記測定対象となる複数の光ファイバに対する報告書を外部で作成するために、前記測定結果記憶手段に記憶された測定結果データと、前記編集結果記憶手段に記憶された編集結果データとが外部に送出可能であることを特徴とするオプチカルタイムドメインリフレクトメータ。
【請求項２】
前記表ファイル編集手段によって前記表ファイルの編集が可能とされる内容は、前記表ファイルに新たに測定すべき光ファイバＦを追加する「新規挿入」モードと、既に測定を完了し、測定結果が関連付けされている場合でも、全てのデータを消去して未測定時の状態に戻すことができる「初期化」モードと、所望の光ファイバＦの特性を再測定し、測定結果を更新することができる「測定」モードと、測定内容の詳細が表示された画面になり、各項目の編集が可能となる「読み込み実行」モードとのうちの少なくとも一つを含むことを特徴とする請求項１に記載のオプチカルタイムドメインリフレクトメータ。
【請求項３】
前記表ファイル読み込み手段によって読み込まれた前記表ファイルを記憶する表ファイル記憶手段と、前記測定結果記憶手段と、前記編集結果記憶手段とは、着脱自在な外部記憶媒体であることを特徴とする請求項１に記載のオプチカルタイムドメインリフレクトメータ。
【請求項４】
前記測定結果記憶手段と前記編集結果記憶手段とが内部記憶媒体であるとき、前記測定結果記憶手段に記憶された測定結果データと、前記編集結果記憶手段に記憶された編集結果データとを外部に送出する通信部をさらに具備することを特徴とする請求項１に記載のオプチカルタイムドメインリフレクトメータ。
【請求項５】
前記表ファイル読み込み手段は、前記表ファイルを外部から通信により読み込むための通信部を含むことを特徴とする請求項１に記載のオプチカルタイムドメインリフレクトメータ。
【請求項６】
オプチカルタイムドメインリフレクトメータ及び外部端末を用いて、測定対象となる複数の光ファイバの各種特性を測定する光ファイバ測定システムであって、
前記オプチカルタイムドメインリフレクトメータは、
前記測定対象となる複数の光ファイバに関する光ファイバ管理情報を表形式で表示する表示部と、
前記表示部によって表形式で表示された前記測定対象となる複数の光ファイバに関する光ファイバ管理情報の中から測定すべき任意の光ファイバを選択する操作部と、
前記操作部によって選択された任意の光ファイバの各種特性を前記測定対象となる複数の光ファイバに関する光ファイバ管理情報の中の対応する光ファイバ管理情報に基づいて測定された前記任意の光ファイバの各種特性の測定データとそれの前記対応する光ファイバ管理情報とを対応付けて記憶する記憶部とを具備し、
前記表示部は、前記記憶部に対応付けて記憶された前記任意の光ファイバの各種特性の測定データとそれの前記対応する光ファイバ管理情報とを所定の形態で表示可能とし、
前記外部端末は、
前記光ファイバ管理情報として、前記測定対象となる複数の光ファイバに関する各種情報や施工場所に関する情報など敷設／保守工事の施工前に事前に与えられた光ファイバ管理情報を基に前記測定対象となる複数の光ファイバと該複数の光ファイバを測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバを一覧可能に表示する表形式のファイル画面を含むガイダンスを表示部によって順次に提示することにより、前記最終的に作成すべき表ファイルを作成すること許容する表ファイル作成手段を含み、
前記オプチカルタイムドメインリフレクトメータは、前記外部端末で作成された前記表ファイルに基づき前記測定対象となる光ファイバの各種特性を測定することを特徴とする光ファイバ測定システム。
【請求項７】
前記オプチカルタイムドメインリフレクトメータは、
前記外部端末によって作成された前記表ファイルを読み込む表ファイル読み込み手段と、
前記表ファイル読み込み手段によって読み込まれた前記表ファイルの編集をする表ファイル編集手段と、
前記表ファイル読み込み手段によって読み込まれた前記表ファイル及び前記表ファイル編集手段によって前記編集をされた表ファイルに基づき前記測定対象となる光ファイバを測定する光ファイバ特性測定手段とをさらに具備し、
前記記憶部は、
前記光ファイバ特性測定手段によって測定された前記測定対象となる複数の光ファイバと該複数の光ファイバの各測定データとが関連付けされた測定結果データを記憶する測定結果記憶手段と、
前記表ファイル編集手段によって前記表ファイルの編集をした際の編集内容と当該編集内容に基づき前記光ファイバ特性測定手段によって測定された測定結果データを表す編集結果データとを記憶する編集結果記憶手段とを含み、
前記表示部は、少なくとも、前記表ファイル読み込み手段によって読み込まれた前記表ファイルに対応して前記測定対象となる複数の光ファイバを一覧可能に表示する表形式の画面と、前記光ファイバ特性測定手段によって測定された前記測定対象となる複数の光ファイバと該複数の光ファイバの各測定データとを関連付けて表示する画面とを選択的に表示可能とし、
前記表ファイル編集手段は、前記表ファイルの編集をするときに、前記測定対象となる複数の光ファイバを一覧可能に表示する表形式の画面を前記表示部に表示させることにより、前記表ファイルの編集を可能とし、
前記光ファイバ特性測定手段は、前記測定対象となる複数の光ファイバを測定するときに、前記測定対象となる複数の光ファイバと該複数の光ファイバの各測定データとを関連付けて表示する画面を前記表示部に表示させることを特徴とする請求項６に記載の光ファイバ測定システム。
【請求項８】
前記光ファイバ特性測定手段によって測定された前記測定対象となる複数の光ファイバに対する報告書を外部で作成するために、前記測定結果記憶手段に記憶された測定結果データと、前記編集結果記憶手段に記憶された編集結果データとが前記外部端末に送出可能であり、
前記外部端末は、作成すべきレポート形式を選択するためのレポート形式選択画面、表ファイル読み込み画面、前記オプチカルタイムドメインリフレクトメータの前記測定結果記憶手段及び前記編集結果記憶手段に記憶された前記測定結果データと前記編集結果データとを読み込みためのファイル読み込み後画面、レポートの結果を確認すると共に、作成されたレポートの出力形式を選択するためのプレビュー画面を含むガイダンスを前記表示部によって順次に提示することにより、前記報告書を作成することを許容する報告書作成手段を含むことを特徴とする請求項７に記載の光ファイバ測定システム。
【請求項９】
前記オプチカルタイムドメインリフレクトメータの前記表ファイル編集手段によって前記表ファイルの編集が可能とされる内容は、前記表ファイルに新たに測定すべき光ファイバＦを追加する「新規挿入」モードと、既に測定を完了し、測定結果が関連付けされている場合でも、全てのデータを消去して未測定時の状態に戻すことができる「初期化」モードと、所望の光ファイバＦの特性を再測定し、測定結果を更新することができる「測定」モードと、測定内容の詳細が表示された画面になり、各項目の編集が可能となる「読み込み実行」モードとのうちの少なくとも一つを含むことを特徴とする請求項７に記載の光ファイバ測定システム。
【請求項１０】
前記オプチカルタイムドメインリフレクトメータの前記表ファイル読み込み手段によって読み込まれた前記表ファイルを記憶する表ファイル記憶手段と、前記測定結果記憶手段と、前記編集結果記憶手段とは、着脱自在な外部記憶媒体であることを特徴とする請求項７に記載の光ファイバ測定システム。
【請求項１１】
前記オプチカルタイムドメインリフレクトメータの前記測定結果記憶手段と前記編集結果記憶手段とが内部記憶媒体であるとき、前記測定結果記憶手段に記憶された測定結果データと、前記編集結果記憶手段に記憶された編集結果データとを外部に送出する通信部をさらに具備することを特徴とする請求項７に記載の光ファイバ測定システム。
【請求項１２】
前記オプチカルタイムドメインリフレクトメータの前記表ファイル読み込み手段は、前記表ファイルを外部から通信により読み込む通信部を含むことを特徴とする請求項７に記載の光ファイバ測定システム。
【請求項１３】
前記外部端末の前記表示部に提示される前記ガイダンスとしての前記レポート形式選択画面には、前記作成すべきレポート形式として前記測定対象となる複数の光ファイバに対する各測定データを集計した表としてレポートするための「多芯集計表」モードと、前記測定対象となる複数の光ファイバに対する各測定データを集計した表に各測定波形を加えてレポートするための「多芯集計表＋波形」モードと、前記測定対象となる複数の光ファイバに対する各測定波形をレポートするための「波形レポート」モードとのうちの少なくとも一つが提示されることを特徴とする請求項７に記載の光ファイバ測定システム。
【請求項１４】
前記外部端末の前記表示部に提示される前記ガイダンスとしての前記プレビュー画面には、前記作成されたレポートの出力形式として前記作成されたレポートの内容を紙に印刷して出力する「印刷」モードと、前記作成されたレポートの内容をＰＤＦデータとして出力する「ＰＤＦ」モードと、前記作成されたレポートの内容をエクセルデータとして出力する「Ｅｘｃｅｌ」モードとのうちの少なくとも一つが提示されることを特徴とする請求項７に記載の光ファイバ測定システム。
【請求項１５】
オプチカルタイムドメインリフレクトメータ及び外部端末を用いて、測定対象となる複数の光ファイバの各種特性を測定する光ファイバ測定方法であって、
前記外部端末において、表ファイル作成手段により、前記測定対象となる複数の光ファイバに関する各種情報や施工場所に関する情報など敷設／保守工事の施工前に事前に与えられた光ファイバ管理情報を基に前記測定対象となる複数の光ファイバと該複数の光ファイバを測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバを一覧可能に表示する表形式のファイル画面を含むガイダンスを表示部によって順次に提示することにより、前記最終的に作成すべき表ファイルを作成すること許容するステップと、
前記外部端末の前記表示部に順次に提示される前記初期メニュー画面、前記入力画面及び前記ファイル画面を含む前記ガイダンス基づいて前記事前に与えられた光ファイバ管理情報を個別に入力することにより、前記最終的に作成すべき表ファイルを作成するステップと、
前記外部端末で作成された前記最終的に作成すべき表ファイルに基づいて前記オプチカルタイムドメインリフレクトメータの表示部に、前記測定対象となる複数の光ファイバに関する光ファイバ管理情報を表形式で表示するステップと、
前記表示部によって表形式で表示された前記測定対象となる複数の光ファイバに関する光ファイバ管理情報の中から測定すべき任意の光ファイバを前記オプチカルタイムドメインリフレクトメータの操作部によって選択するステップと、
前記操作部によって選択された任意の光ファイバの各種特性を前記測定対象となる複数の光ファイバに関する光ファイバ管理情報の中の対応する光ファイバ管理情報に基づいて測定された前記任意の光ファイバの各種特性の測定データとそれの前記対応する光ファイバ管理情報とを対応付けて前記オプチカルタイムドメインリフレクトメータの記憶部に記憶するステップと、
前記記憶部に対応付けて記憶された前記任意の光ファイバの各種特性の測定データとそれの前記対応する光ファイバ管理情報とを所定の形態で前記オプチカルタイムドメインリフレクトメータの前記表示部に表示するステップとを具備し、
前記外部端末で作成された前記表ファイルに基づき前記オプチカルタイムドメインリフレクトメータによって前記測定対象となる光ファイバの各種特性を測定することを特徴とする光ファイバ測定方法。
【請求項１６】
前記外部端末の前記表示部上で作成された前記最終的に作成すべき表ファイルを表ファイル記憶手段に記憶するステップと、
前記外部端末の表ファイル記憶手段に記憶された前記最終的に作成すべき表ファイルを前記オプチカルタイムドメインリフレクトメータの表ファイル読み込み手段によって読み込むステップと、
前記表ファイル読み込み手段によって読み込まれた前記最終的に作成すべき表ファイルを前記オプチカルタイムドメインリフレクトメータの表ファイル編集手段によって編集するステップと、
前記表ファイル読み込み手段によって読み込まれた前記最終的に作成すべき表ファイル及び前記表ファイル編集手段）によって編集された前記最終的に作成すべき表ファイルに基づき前記オプチカルタイムドメインリフレクトメータの光ファイバ特性測定手段によって前記測定対象となる光ファイバを測定するステップと、
前記光ファイバ特性測定手段によって測定された前記測定対象となる複数の光ファイバと該複数の光ファイバの各測定データとが関連付けされた測定結果データを前記オプチカルタイムドメインリフレクトメータの測定結果記憶手段によって記憶するステップと、
前記表ファイル編集手段によって前記表ファイルの編集をした際の編集内容と当該編集内容に基づき前記光ファイバ特性測定手段によって測定された測定結果データを表す編集結果データとを前記オプチカルタイムドメインリフレクトメータの編集結果記憶手段によって記憶するステップと、
少なくとも、前記表ファイル読み込み手段によって読み込まれた前記表ファイルに対応して前記測定対象となる複数の光ファイバを一覧可能に表示する表形式の画面と、前記光ファイバ特性測定手段によって測定された前記測定対象となる複数の光ファイバと該複数の光ファイバの各測定データとを関連付けて表示する画面とを前記オプチカルタイムドメインリフレクトメータの前記表示部に選択的に表示可能とするステップと、
前記表ファイル編集手段によって、前記表ファイルの編集をするときに、前記測定対象となる複数の光ファイバを一覧可能に表示する表形式の画面を前記オプチカルタイムドメインリフレクトメータの前記表示部に表示させることにより、前記表ファイルの編集を可能とするステップと、
前記光ファイバ特性測定手段によって前記測定対象となる複数の光ファイバを測定する際に、前記測定対象となる複数の光ファイバと該測定対象となる複数の光ファイバの各測定データとを関連付けて表示する画面を前記オプチカルタイムドメインリフレクトメータの前記表示部に表示させるステップとをさらに具備することを特徴とする請求項１５に記載の光ファイバ測定方法。
【請求項１７】
前記光ファイバ特性測定手段によって測定された前記測定対象となる複数の光ファイバに対する前記レポートを前記外部端末で作成するために、前記オプチカルタイムドメインリフレクトメータの前記測定結果記憶手段に記憶された測定結果データと、前記編集結果記憶手段に記憶された編集結果データとを前記外部端末に送出可能とするステップと、
前記外部端末において、報告書作成手段により、作成すべきレポートの形式を選択するためのレポート形式選択画面、前記レポートの作成のための表ファイル読み込み画面、前記レポートの作成のためのデータを読み込むファイル読み込み後画面、前記レポートの作成結果を確認すると共に、作成されたレポートの出力形式を選択するためのプレビュー画面を含むガイダンスを前記表示部によって順次に提示することにより、前記報告書を作成することを許容するステップと、
前記外部端末の前記表示部に順次に提示される前記レポート形式選択画面、表ファイル読み込み画面、前記オプチカルタイムドメインリフレクトメータの前記測定結果記憶手段及び前記編集結果記憶手段に記憶された前記測定結果データと前記編集結果データとを読み込みための前記ファイル読み込み後画面、前記プレビュー画面を含むガイダンスに基づいて、最終的に作成すべきレポートを作成するステップとをさらに具備することを特徴とする請求項１６に記載の光ファイバ測定方法。
【請求項１８】
前記オプチカルタイムドメインリフレクトメータの前記表ファイル編集手段によって前記表ファイルの編集が可能とされる内容は、前記表ファイルに新たに測定すべき光ファイバＦを追加する「新規挿入」モードと、既に測定を完了し、測定結果が関連付けされている場合でも、全てのデータを消去して未測定時の状態に戻すことができる「初期化」モードと、所望の光ファイバＦの特性を再測定し、測定結果を更新することができる「測定」モードと、測定内容の詳細が表示された画面になり、各項目の編集が可能となる「読み込み実行」モードとのうちの少なくとも一つを含むことを特徴とする請求項１６に記載の光ファイバ測定方法。
【請求項１９】
前記オプチカルタイムドメインリフレクトメータの前記表ファイル読み込み手段によって読み込まれた前記表ファイルを記憶する表ファイル記憶手段と、前記測定結果記憶手段と、前記編集結果記憶手段とは、それぞれ着脱自在な外部記憶媒体であることを特徴とする請求項１６に記載の光ファイバ測定方法。
【請求項２０】
前記オプチカルタイムドメインリフレクトメータの前記測定結果記憶手段と前記編集結果記憶手段とが内部記憶媒体であるとき、前記測定結果記憶手段に記憶された測定結果データと、前記編集結果記憶手段に記憶された編集結果データとを外部に送出する通信部をさらに具備することを特徴とする請求項１６に記載の光ファイバ測定方法。
【請求項２１】
前記オプチカルタイムドメインリフレクトメータの前記表ファイル読み込み手段は、前記表ファイルを外部から通信により読み込む通信部を含むことを特徴とする請求項１６に記載の光ファイバ測定方法。
【請求項２２】
前記外部端末の前記表示部に提示される前記ガイダンスとしての前記レポート形式選択画面には、前記作成すべきレポート形式として前記測定対象となる複数の光ファイバに対する各測定データを集計した表としてレポートするための「多芯集計表」モードと、前記測定対象となる複数の光ファイバ（Ｆ）に対する各測定データを集計した表に各測定波形を加えてレポートするための「多芯集計表＋波形」モードと、前記測定対象となる複数の光ファイバ（Ｆ）に対する各測定波形をレポートするための「波形レポート」モードとのうちの少なくとも一つが提示されることを特徴とする請求項１７に記載の光ファイバ測定方法。
【請求項２３】
前記外部端末の前記表示部に提示される前記ガイダンスとしての前記プレビュー画面には、前記作成されたレポートの出力形式として前記作成されたレポートの内容を紙に印刷して出力する「印刷」モードと、前記作成されたレポートの内容をＰＤＦデータとして出力する「ＰＤＦ」モードと、前記作成されたレポートの内容をエクセルデータとして出力する「Ｅｘｃｅｌ」モードとのうちの少なくとも一つが提示されることを特徴とする請求項１７に記載の光ファイバ測定方法。
【発明の詳細な説明】
【技術分野】
【０００１】  本発明はオプチカルタイムドメインリフレクトメータ及びそれを用いる光ファイバ測定方法及び光ファイバ測定システムに係り、特に、敷設された多芯光ファイバを含む光ファイバの障害点探索や損失測定などの各種特性評価を容易に、且つ、効率的に行うことができるテクニックを採用したオプチカルタイムドメインリフレクトメータ及びそれを用いる光ファイバ測定方法及び光ファイバ測定システムに関する。
【背景技術】
【０００２】  従来より、光通信線路として敷設された光ファイバの接続点の状態やその他の障害点を検査するため、光パルス試験器として知られているオプチカルタイムドメインリフレクトメータ（Ｏｐｔｉｃａｌ  Ｔｉｍｅ  Ｄｏｍａｉｎ  Ｒｅｆｌｅｃｔｏｍｅｔｏｒｙ：ＯＴＤＲ）が用いられている。【０００３】  このＯＴＤＲは、被測定用の光ファイバの一端に接続され、当該一端から測定用のパルス光を光ファイバ内に入射することにより、この光ファイバから戻ってくる反射光（後方散乱光）の到達時間や受光レベルに基づき光ファイバの各種損失、損失発生箇所の特定、遠端位置などを測定することができる。【０００４】  このようなＯＴＤＲとしては、例えば、特許文献１に開示されている光パルス試験器が公知である。【０００５】  図１４は、特許文献１に開示されている一般的なＯＴＤＲを示す概略構成図である。【０００６】  図１４に示すように、特許文献１に開示されているＯＴＤＲは、タイミング発生部１０１からの電気パルスにより、駆動回路１０２でパルス電流を作り、光源１０３を発光させる。【０００７】  この光源１０３から出射される光パルスは、光方向性結合器１０４を通過し、光ファイバ１１０に入射される。【０００８】  そして、光ファイバ１１０からの後方散乱光や反射光などの戻り光は、光方向性結合器１０４から受光器１０５へ送られる。【０００９】  この受光器１０５は、受光した光を電気信号に変換して増幅部１０６に送る。【００１０】  これにより、受光器１０５の出力は増幅部１０６で増幅された後、加算平均処理部１０７でディジタル信号に変換されて、加算平均される。【００１１】  この平均加算処理部１０７からの加算平均出力は、対数変換部１０８で対数変換された後、この変換されたデータが表示部１０９にて表示される。【００１２】  このような構成が、従来の一般的なＯＴＤＲの構成である。【００１３】  図１４に示すＯＴＤＲでは、上述の構成に対して、さらに、測定波形のＳＮ比の均一化を図るために、ＳＮ比比較部１１１とデータ記憶部１１２とが備えられている。【００１４】  すなわち、ＳＮ比比較部１１１には、前記対数変換部１０８で対数変換されたデータが送られて当該ＳＮ比比較部１１１に予め設定されている設定値と比較される。【００１５】  このＳＮ比比較部１１１からの比較結果に基づいて再度平均加算処理部１０７で平均加算等を行ってそのＳＮ比が改善されたデータがデータ記憶部１１２に送られる。【００１６】  このデータ記憶部１１２は、ＳＮ比が改善されたデータと当該データ記憶部１１２に予め記憶されているデータがあればそのデータとを結合して、表示部１０９に送る。【００１７】  ところで、現状の光ファイバの敷設／保守工事の一連の作業工程としては、まず、オペレータは、ＯＴＤＲを用いて測定対象である光ファイバを測定し、その測定データを、例えば、フロッピー（登録商標）ディスク、メモリカード、ＵＳＢメモリ等の外部記憶媒体若しくは当該ＯＴＤＲに内蔵されている内部メモリに記録して作業現場からオフィスへ持ち帰る。【００１８】  また、オペレータは、測定データを記録する際に、測定した光ファイバの心線番号や心線名などの情報をメモに取り、測定した光フ��イバと測定データとの関連付けをして記録する。【００１９】  そして、オペレータは、オフィスへ持ち帰った測定データとメモとを照らし合わせながら、例えば、パーソナルコンピュータなどの端末機器上で作動する報告書作成専用ソフトウェアを用いて報告書を作成して、当該報告書を関連部署に送達することにより、一連の敷設／保守工事の作業工程が完了となる。【００２０】  しかしながら、このような一連の敷設／保守工事の作業工程によると、オペレータは、一日に数百本もの多芯光ファイバ等の敷設や特性評価を行う工事の場合、全ての光ファイバの測定データとメモに取った情報とを照らし合わせて光ファイバごとに関連付けをしながら報告書を作成しなければならず、報告書作成作業が非常に煩雑であるという問題がある。【００２１】  このような問題を解決するため、１日に数百本の光ファイバの敷設、特性評価を行う敷設／保守工事の場合、これらの作業の軽減を図るため、予め一連の測定手順（測定条件、距離レンジ、パルス幅、波長等）と、ファイル命名規則とを与え、光ファイバをＯＴＤＲに接続して自動的に評価測定を実施してファイルに光ファイバの測定データを記録する「連続測定」という光ファイバ測定方法を用いた敷設／保守工事が行われている。【００２２】  しかしながら、このような連続測定によっても、実際上、敷設／保守工事の進行状況や作業変更、測定現場や光ファイバの状況によって、予め設定したファイル名の変更や予定していた光ファイバの測定のスキップなどに伴い、予め設定したファイル名と実際に測定した光ファイバとの関連性がなくなる場合があるため、このような連続測定の手順では現場状況に柔軟に対応することができないという問題がある。【００２３】  また、このような連続測定で記録したファイルでは、予め設定したファイル名と実際に光ファイバを測定して記録した測定データとの関連性が少ないため、オペレータが光ファイバの測定データを記録したファイルをオフィスへ持ち帰って報告書を作成する場合、場合によっては再度測定したデータとファイル名との関連性を確認したりファイル名を変更する必要があるため、やはり通常の敷設／保守工事と同様、作業時間を要し面倒であるという問題がある。
【特許文献１】特開平４−１５８２３７号公報
【発明の開示】
【００２４】  本発明の目的は、上述したような従来技術の問題を解決するために、特に、多芯光ファイバの敷設・特性評価に係る作業状況を簡略化して敷設／保守工事の負担を軽減することのできるテクニックを採用したオプチカルタイムドメインリフレクトメータ及びそれを用いる光ファイバ測定方法及び光ファイバ測定システムを提供することである。
【００２５】
上記目的を達成するために、本発明の第１の態様によれば、
測定対象となる複数の光ファイバ（Ｆ）に関する光ファイバ管理情報を表形式で表示する表示部（２８）と、
前記表示部（２８）によって表形式で表示された前記測定対象となる複数の光ファイバ（Ｆ）に関する光ファイバ管理情報の中から測定すべき任意の光ファイバ（Ｆ）を選択する操作部（２９）と、
前記操作部（２９）によって選択された任意の光ファイバ（Ｆ）の各種特性を前記測定対象となる複数の光ファイバ（Ｆ）に関する光ファイバ管理情報の中の対応する光ファイバ管理情報に基づいて測定された前記任意の光ファイバ（Ｆ）の各種特性の測定データとそれの前記対応する光ファイバ管理情報とを対応付けて記憶する記憶部（２２）とを具備し、
前記表示部（２８）は、前記記憶部（２２）に対応付けて記憶された前記任意の光ファイバ（Ｆ）の各種特性の測定データとそれの前記対応する光ファイバ管理情報とを所定の形態で表示可能とすることを特徴とするオプチカルタイムドメインリフレクトメータにおいて、
前記光ファイバ管理情報として、前記測定対象となる複数の光ファイバ（Ｆ）に関する各種情報及び施工場所に関する情報を含む敷設／保守工事の施工前に事前に与えられた光ファイバ管理情報を基に前記測定対象となる複数の光ファイバ（Ｆ）と該複数の光ファイバ（Ｆ）を測定した際の各測定データとの関連付けをするための表ファイルであって、前記測定対象となる複数の光ファイバ（Ｆ）と該複数の光ファイバ（Ｆ）を測定した際の各測定データとの関連付けを前記敷設／保守工事の施工時に編集可能に作成されている前記表ファイルを外部から読み込む表ファイル読み込み手段（２１）と、
前記表ファイル読み込み手段（２１）によって読み込まれた前記表ファイルの編集をする表ファイル編集手段（２３ａ）と、
前記表ファイル読み込み手段（２１）によって読み込まれた前記表ファイル及び前記表ファイル編集手段（２３ａ）によって前記編集をされた表ファイルに基づき前記測定対象となる光ファイバ（Ｆ）を測定する光ファイバ特性測定手段（３０：２４，２５，２６，２７）とをさらに具備し、
前記記憶部（２２）は、
前記光ファイバ特性測定手段（３０：２４，２５，２６，２７）によって測定された前記測定対象となる複数の光ファイバ（Ｆ）と該複数の光ファイバ（Ｆ）の各測定データとが関連付けされた測定結果データを記憶する測定結果記憶手段（２２ｂ）と、
前記表ファイル編集手段（２３ａ）によって前記表ファイルの編集をした際の編集内容と当該編集内容に基づき前記光ファイバ測定手段（３０：２４，２５，２６，２７）によって測定された測定結果データを表す編集結果データとを記憶する編集結果記憶手段（２２ｃ）とを含み、
前記表示部（２８）は、少なくとも、前記表ファイル読み込み手段（２１）によって読み込まれた前記表ファイルに対応して前記測定対象となる複数の光ファイバ（Ｆ）を一覧可能に表示する表形式の画面と、前記光ファイバ測定手段（３０：２４，２５，２６，２７）によって測定された前記測定対象となる複数の光ファイバ（Ｆ）と該複数の光ファイバ（Ｆ）の各測定データとを関連付けて表示する画面とを選択的に表示可能とし、
前記表ファイル編集手段（２３ａ）は、前記表ファイルの編集をするときに、前記測定対象となる複数の光ファイバ（Ｆ）を一覧可能に表示する表形式の画面を前記表示部（２８）に表示させることにより、前記表ファイルの編集を可能とし、
前記光ファイバ特性測定手段（３０：２４，２５，２６，２７）は、前記測定対象となる複数の光ファイバ（Ｆ）を測定するときに、前記測定対象となる複数の光ファイバ（Ｆ）と該複数の光ファイバ（Ｆ）の各測定データとを関連付けて表示する画面を前記表示部（２８）に表示させ、
前記光ファイバ特性測定手段（３０：２４，２５，２６，２７）によって測定された前記測定対象となる複数の光ファイバ（Ｆ）に対する報告書を外部で作成するために、前記測定結果記憶手段（２２ｂ）に記憶された測定結果データと、前記編集結果記憶手段（２２ｃ）に記憶された編集結果データとが外部に送出可能であることを特徴とする第１の態様に従うオプチカルタイムドメインリフレクトメータが提供される。
【００２７】
上記目的を達成するために、本発明の第２の態様によれば、
前記表ファイル編集手段（２３ａ）によって前記表ファイルの編集が可能とされる内容は、前記表ファイルに新たに測定すべき光ファイバＦを追加する「新規挿入」モードと、既に測定を完了し、測定結果が関連付けされている場合でも、全てのデータを消去して未測定時の状態に戻すことができる「初期化」モードと、所望の光ファイバＦの特性を再測定し、測定結果を更新することができる「測定」モードと、測定内容の詳細が表示された画面になり、各項目の編集が可能となる「読み込み実行」モードとのうちの少なくとも一つを含むことを特徴とする第１の態様に従うオプチカルタイムドメインリフレクトメータが提供される。
【００２８】
上記目的を達成するために、本発明の第３の態様によれば、前記表ファイル読み込み手段（２１）によって読み込まれた前記表ファイルを記憶する表ファイル記憶手段（２２ａ）と、前記測定結果記憶手段（２２ｂ）と、前記編集結果記憶手段（２２ｃ）とは、着脱自在な外部記憶媒体であることを特徴とする第１の態様に従うオプチカルタイムドメインリフレクトメータが提供される。
【００２９】
上記目的を達成するために、本発明の第４の態様によれば、前記測定結果記憶手段（２２ｂ）と前記編集結果記憶手段（２２ｃ）とが内部記憶媒体であるとき、前記測定結果記憶手段（２２ｂ）に記憶された測定結果データと、前記編集結果記憶手段（２２ｃ）に記憶された編集結果データとを外部に送出する通信部（２１）をさらに具備することを特徴とする第２の態様に従うオプチカルタイムドメインリフレクトメータが提供される。
【００３０】
上記目的を達成するために、本発明の第５の態様によれば、前記表ファイル読み込み手段（２１）は、前記表ファイルを外部から通信により読み込むための通信部（２１）を含むことを特徴とする第１の態様に従うオプチカルタイムドメインリフレクトメータが提供される。
【００３１】
また、上記目的を達成するために、本発明の第６の態様によれば、
オプチカルタイムドメインリフレクトメータ（２０）及び外部端末（１０）を用いて、測定対象となる複数の光ファイバ（Ｆ）の各種特性を測定する光ファイバ測定システムであって、
前記オプチカルタイムドメインリフレクトメータ（２０）は、
前記測定対象となる複数の光ファイバ（Ｆ）に関する光ファイバ管理情報を表形式で表示する表示部（２８）と、
前記表示部（２８）によって表形式で表示された前記測定対象となる複数の光ファイバ（Ｆ）に関する光ファイバ管理情報の中から測定すべき任意の光ファイバ（Ｆ）を選択する操作部（２９）と、
前記操作部（２９）によって選択された任意の光ファイバ（Ｆ）の各種特性を前記測定対象となる複数の光ファイバ（Ｆ）に関する光ファイバ管理情報の中の対応する光ファイバ管理情報に基づいて測定された前記任意の光ファイバ（Ｆ）の各種特性の測定データとそれの前記対応する光ファイバ管理情報とを対応付けて記憶する記憶部（２２）とを具備し、
前記表示部（２８）は、前記記憶部（２２）に対応付けて記憶された前記任意の光ファイバ（Ｆ）の各種特性の測定データとそれの前記対応する光ファイバ管理情報とを所定の形態で表示可能とし、
前記外部端末（１０）は、
前記光ファイバ管理情報として、前記測定対象となる複数の光ファイバ（Ｆ）に関する各種情報や施工場所に関する情報など敷設／保守工事の施工前に事前に与えられた光ファイバ管理情報を基に前記測定対象となる複数の光ファイバ（Ｆ）と該複数の光ファイバ（Ｆ）を測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバ（Ｆ）を一覧可能に表示する表形式のファイル画面を含むガイダンスを表示部（１４）によって順次に提示することにより、前記最終的に作成すべき表ファイルを作成すること許容する表ファイル作成手段（１２ａ）を含み、
前記オプチカルタイムドメインリフレクトメータ（２０）は、前記外部端末（１０）で作成された前記表ファイルに基づき前記測定対象となる光ファイバ（Ｆ）の各種特性を測定することを特徴とする光ファイバ測定システムが提供される。
【００３２】
上記目的を達成するために、本発明の第７の態様によれば、
前記オプチカルタイムドメインリフレクトメータ（２０）は、
前記外部端末（１０）によって作成された前記表ファイルを読み込む表ファイル読み込み手段（２１）と、
前記表ファイル読み込み手段（２１）によって読み込まれた前記表ファイルの編集をする表ファイル編集手段（２３ａ）と、
前記表ファイル読み込み手段（２１）によって読み込まれた前記表ファイル及び前記表ファイル編集手段（２３ａ）によって前記編集をされた表ファイルに基づき前記測定対象となる光ファイバ（Ｆ）を測定する光ファイバ特性測定手段（３０：２４，２５，２６，２７）とをさらに具備し、
前記記憶部（２２）は、
前記光ファイバ特性測定手段（３０：２４，２５，２６，２７）によって測定された前記測定対象となる複数の光ファイバ（Ｆ）と該複数の光ファイバ（Ｆ）の各測定データとが関連付けされた測定結果データを記憶する測定結果記憶手段（２２ｂ）と、
前記表ファイル編集手段（２３ａ）によって前記表ファイルの編集をした際の編集内容と当該編集内容に基づき前記光ファイバ特性測定手段（３０：２４，２５，２６，２７）によって測定された測定結果データを表す編集結果データとを記憶する編集結果記憶手段（２２ｃ）とを含み、
前記表示部（２８）は、少なくとも、前記表ファイル読み込み手段（２１）によって読み込まれた前記表ファイルに対応して前記測定対象となる複数の光ファイバ（Ｆ）を一覧可能に表示する表形式の画面と、前記光ファイバ特性測定手段（３０：２４，２５，２６，２７）によって測定された前記測定対象となる複数の光ファイバ（Ｆ）と該複数の光ファイバ（Ｆ）の各測定データとを関連付けて表示する画面とを選択的に表示可能とし、
前記表ファイル編集手段（２３ａ）は、前記表ファイルの編集をするときに、前記測定対象となる複数の光ファイバ（Ｆ）を一覧可能に表示する表形式の画面を前記表示部（２８）に表示させることにより、前記表ファイルの編集を可能とし、
前記光ファイバ特性測定手段（３０：２４，２５，２６，２７）は、前記測定対象となる複数の光ファイバ（Ｆ）を測定するときに、前記測定対象となる複数の光ファイバ（Ｆ）と該複数の光ファイバ（Ｆ）の各測定データとを関連付けて表示する画面を前記表示部（２８）に表示させることを特徴とする第６の態様に従う光ファイバ測定システムが提供される。
【００３３】
上記目的を達成するために、本発明の第８の態様によれば、
前記光ファイバ特性測定手段（３０：２４，２５，２６，２７）によって測定された前記測定対象となる複数の光ファイバ（Ｆ）に対する報告書を外部で作成するために、前記測定結果記憶手段（２２ｂ）に記憶された測定結果データと、前記編集結果記憶手段（２２ｃ）に記憶された編集結果データとが前記外部端末（１０）に送出可能であり、
前記外部端末（１０）は、作成すべきレポート形式を選択するためのレポート形式選択画面、表ファイル読み込み画面、前記オプチカルタイムドメインリフレクトメータ（２０）の前記測定結果記憶手段（２２ｂ）及び前記編集結果記憶手段（２２ｃ）に記憶された前記測定結果データと前記編集結果データとを読み込みためのファイル読み込み後画面、レポートの結果を確認すると共に、作成されたレポートの出力形式を選択するためのプレビュー画面を含むガイダンスを前記表示部（１４）によって順次に提示することにより、前記報告書を作成することを許容する報告書作成手段（１２ｂ）を含むことを特徴とする第７の態様に従う光ファイバ測定システムが提供される。
【００３４】
上記目的を達成するために、本発明の第１１の態様によれば、
前記オプチカルタイムドメインリフレクトメータ（２０）の前記表ファイル編集手段（２３ａ）によって前記表ファイルの編集が可能とされる内容は、前記表ファイルに新たに測定すべき光ファイバＦを追加する「新規挿入」モードと、既に測定を完了し、測定結果が関連付けされている場合でも、全てのデータを消去して未測定時の状態に戻すことができる「初期化」モードと、所望の光ファイバＦの特性を再測定し、測定結果を更新することができる「測定」モードと、測定内容の詳細が表示された画面になり、各項目の編集が可能となる「読み込み実行」モードとのうちの少なくとも一つを含むことを特徴とする第７の態様に従う光ファイバ測定システムが提供される。
【００３５】
上記目的を達成するために、本発明の第１０の態様によれば、
前記オプチカルタイムドメインリフレクトメータ（２０）の前記表ファイル読み込み手段（２１）によって読み込まれた前記表ファイルを記憶する表ファイル記憶手段（２２ａ）と、前記測定結果記憶手段（２２ｂ）と、前記編集結果記憶手段（２２ｃ）とは、着脱自在な外部記憶媒体であることを特徴とする第８の態様に従う光ファイバ測定システムが提供される。
【００３６】
上記目的を達成するために、本発明の第１１の態様によれば、
前記オプチカルタイムドメインリフレクトメータ（２０）の前記測定結果記憶手段（２２ｂ）と前記編集結果記憶手段（２２ｃ）とが内部記憶媒体であるとき、前記測定結果記憶手段（２２ｂ）に記憶された測定結果データと、前記編集結果記憶手段（２２ｃ）に記憶された編集結果データとを外部に送出する通信部（２１）をさらに具備することを特徴とする第７の態様に従う光ファイバ測定システムが提供される。
【００３７】
上記目的を達成するために、本発明の第１２の態様によれば、
前記オプチカルタイムドメインリフレクトメータ（２０）の前記表ファイル読み込み手段（２１）は、前記表ファイルを外部から通信により読み込む通信部（２１）を含むことを特徴とする第７の態様に従う光ファイバ測定システムが提供される。
【００３８】
上記目的を達成するために、本発明の第１３の態様によれば、
前記外部端末（１０）の前記表示部（１４）に提示される前記ガイダンスとしての前記レポート形式選択画面には、前記作成すべきレポート形式として前記測定対象となる複数の光ファイバ（Ｆ）に対する各測定データを集計した表としてレポートするための「多芯集計表」モードと、前記測定対象となる複数の光ファイバ（Ｆ）に対する各測定データを集計した表に各測定波形を加えてレポートするための「多芯集計表＋波形」モードと、前記測定対象となる複数の光ファイバ（Ｆ）に対する各測定波形をレポートするための「波形レポート」モードとのうちの少なくとも一つが提示されることを特徴とする第７の態様に従う光ファイバ測定システムが提供される。
【００３９】
上記目的を達成するために、本発明の第１４の態様によれば、
前記外部端末（１０）の前記表示部（１４）に提示される前記ガイダンスとしての前記プレビュー画面には、前記作成されたレポートの出力形式として前記作成されたレポートの内容を紙に印刷して出力する「印刷」モードと、前記作成されたレポートの内容をＰＤＦデータとして出力する「ＰＤＦ」モードと、前記作成されたレポートの内容をエクセルデータとして出力する「Ｅｘｃｅｌ」モードとのうちの少なくとも一つが提示されることを特徴とする第７の態様に従う光ファイバ測定システムが提供される。
【００４０】
また、上記目的を達成するために、本発明の第１５の態様によれば、
オプチカルタイムドメインリフレクトメータ（２０）及び外部端末（１０）を用いて、測定対象となる複数の光ファイバ（Ｆ）の各種特性を測定する光ファイバ測定方法であって、
前記外部端末（１０）において、表ファイル作成手段（１２ａ）により、前記測定対象となる複数の光ファイバ（Ｆ）に関する各種情報や施工場所に関する情報など敷設／保守工事の施工前に事前に与えられた光ファイバ管理情報を基に前記測定対象となる複数の光ファイバ（Ｆ）と該複数の光ファイバ（Ｆ）を測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバ（Ｆ）を一覧可能に表示する表形式のファイル画面を含むガイダンスを表示部（１４）によって順次に提示することにより、前記最終的に作成すべき表ファイルを作成すること許容するステップと、
前記外部端末（１０）の前記表示部（１４）に順次に提示される前記初期メニュー画面、前記入力画面及び前記ファイル画面を含む前記ガイダンス基づいて前記事前に与えられた光ファイバ管理情報を個別に入力することにより、前記最終的に作成すべき表ファイルを作成するステップと、
前記外部端末（１０）で作成された前記最終的に作成すべき表ファイルに基づいて前記オプチカルタイムドメインリフレクトメータ（２０）の表示部（２８）に、前記測定対象となる複数の光ファイバ（Ｆ）に関する光ファイバ管理情報を表形式で表示するステップと、
前記表示部（２８）によって表形式で表示された前記測定対象となる複数の光ファイバ（Ｆ）に関する光ファイバ管理情報の中から測定すべき任意の光ファイバ（Ｆ）を前記オプチカルタイムドメインリフレクトメータ（２０）の操作部（２９）によって選択するステップと、
前記操作部（２９）によって選択された任意の光ファイバ（Ｆ）の各種特性を前記測定対象となる複数の光ファイバ（Ｆ）に関する光ファイバ管理情報の中の対応する光ファイバ管理情報に基づいて測定された前記任意の光ファイバ（Ｆ）の各種特性の測定データとそれの前記対応する光ファイバ管理情報とを対応付けて前記オプチカルタイムドメインリフレクトメータ（２０）の記憶部（２２）に記憶するステップと、
前記記憶部（２２）に対応付けて記憶された前記任意の光ファイバ（Ｆ）の各種特性の測定データとそれの前記対応する光ファイバ管理情報とを所定の形態で前記オプチカルタイムドメインリフレクトメータ（２０）の前記表示部（２８）に表示するステップとを具備し、
前記外部端末（１０）で作成された前記表ファイルに基づき前記オプチカルタイムドメインリフレクトメータ（２０）によって前記測定対象となる光ファイバ（Ｆ）の各種特性を測定することを特徴とする光ファイバ測定方法が提供される。
【００４１】
上記目的を達成するために、本発明の第１６の態様によれば、
前記外部端末（１０）の前記表示部（１４）上で作成された前記最終的に作成すべき表ファイルを表ファイル記憶手段（１３ａ）に記憶するステップと、
前記外部端末（１０）の表ファイル記憶手段（１３ａ）に記憶された前記最終的に作成すべき表ファイルを前記オプチカルタイムドメインリフレクトメータ（２０）の表ファイル読み込み手段（２１）によって読み込むステップと、
前記表ファイル読み込み手段（２１）によって読み込まれた前記最終的に作成すべき表ファイルを前記オプチカルタイムドメインリフレクトメータ（２０）の表ファイル編集手段（２３ａ）によって編集するステップと、
前記表ファイル読み込み手段（２１）によって読み込まれた前記最終的に作成すべき表ファイル及び前記表ファイル編集手段（２３ａ）によって編集された前記最終的に作成すべき表ファイルに基づき前記オプチカルタイムドメインリフレクトメータ（２０）の光ファイバ特性測定手段（３０：２４，２５，２６，２７）によって前記測定対象となる光ファイバ（Ｆ）を測定するステップと、
前記光ファイバ特性測定手段（３０：２４，２５，２６，２７）によって測定された前記測定対象となる複数の光ファイバ（Ｆ）と該複数の光ファイバ（Ｆ）の各測定データとが関連付けされた測定結果データを前記オプチカルタイムドメインリフレクトメータ（２０）の測定結果記憶手段（２２ｂ）によって記憶するステップと、
前記表ファイル編集手段（２３ａ）によって前記表ファイルの編集をした際の編集内容と当該編集内容に基づき前記光ファイバ特性測定手段（３０：２４，２５，２６，２７）によって測定された測定結果データを表す編集結果データとを前記オプチカルタイムドメインリフレクトメータ（２０）の編集結果記憶手段（２２ｃ）によって記憶するステップと、
少なくとも、前記表ファイル読み込み手段（２１）によって読み込まれた前記表ファイルに対応して前記測定対象となる複数の光ファイバ（Ｆ）を一覧可能に表示する表形式の画面と、前記光ファイバ特性測定手段（３０：２４，２５，２６，２７）によって測定された前記測定対象となる複数の光ファイバ（Ｆ）と該複数の光ファイバ（Ｆ）の各測定データとを関連付けて表示する画面とを前記オプチカルタイムドメインリフレクトメータ（２０）の前記表示部（２８）に選択的に表示可能とするステップと、
前記表ファイル編集手段（２３ａ）によって、前記表ファイルの編集をするときに、前記測定対象となる複数の光ファイバ（Ｆ）を一覧可能に表示する表形式の画面を前記オプチカルタイムドメインリフレクトメータ（２０）の前記表示部（２８）に表示させることにより、前記表ファイルの編集を可能とするステップと、
前記光ファイバ特性測定手段（３０：２４，２５，２６，２７）によって前記測定対象となる複数の光ファイバ（Ｆ）を測定する際に、前記測定対象となる複数の光ファイバ（Ｆ）と該測定対象となる複数の光ファイバ（Ｆ）の各測定データとを関連付けて表示する画面を前記オプチカルタイムドメインリフレクトメータ（２０）の前記表示部（２８）に表示させるステップとをさらに具備することを特徴とする第１５の態様に従う光ファイバ測定方法が提供される。
【００４２】
上記目的を達成するために、本発明の第１７の態様によれば、
前記光ファイバ特性測定手段（３０：２４，２５，２６，２７）によって測定された前記測定対象となる複数の光ファイバ（Ｆ）に対する前記レポートを前記外部端末（１０）で作成するために、前記オプチカルタイムドメインリフレクトメータ（２０）の前記測定結果記憶手段（２２ｂ）に記憶された測定結果データと、前記編集結果記憶手段（２２ｃ）に記憶された編集結果データとを前記外部端末（１０）に送出可能とするステップと、
前記外部端末（１０）において、報告書作成手段（１２ｂ）により、作成すべきレポートの形式を選択するためのレポート形式選択画面、前記レポートの作成のための表ファイル読み込み画面、前記レポートの作成のためのデータを読み込むファイル読み込み後画面、前記レポートの作成結果を確認すると共に、作成されたレポートの出力形式を選択するためのプレビュー画面を含むガイダンスを前記表示部（１４）によって順次に提示することにより、前記報告書を作成することを許容するステップと、
前記外部端末（１０）の前記表示部（１４）に順次に提示される前記レポート形式選択画面、表ファイル読み込み画面、前記オプチカルタイムドメインリフレクトメータ（２０）の前記測定結果記憶手段（２２ｂ）及び前記編集結果記憶手段（２２ｃ）に記憶された前記測定結果データと前記編集結果データとを読み込みための前記ファイル読み込み後画面、前記プレビュー画面を含むガイダンスに基づいて、最終的に作成すべきレポートを作成するステップとをさらに具備することを特徴とする第１６の態様に従う光ファイバ測定方法が提供される。
【００４３】
上記目的を達成するために、本発明の第１８の態様によれば、
前記オプチカルタイムドメインリフレクトメータ（２０）の前記表ファイル編集手段（２３ａ）によって前記表ファイルの編集が可能とされる内容は、前記表ファイルに新たに測定すべき光ファイバＦを追加する「新規挿入」モードと、既に測定を完了し、測定結果が関連付けされている場合でも、全てのデータを消去して未測定時の状態に戻すことができる「初期化」モードと、所望の光ファイバＦの特性を再測定し、測定結果を更新することができる「測定」モードと、測定内容の詳細が表示された画面になり、各項目の編集が可能となる「読み込み実行」モードとのうちの少なくとも一つを含むことを特徴とする第１７の態様に従う光ファイバ測定方法が提供される。
【００４４】
上記目的を達成するために、本発明の第１９の態様によれば、
前記オプチカルタイムドメインリフレクトメータ（２０）の前記表ファイル読み込み手段（２１）によって読み込まれた前記表ファイルを記憶する表ファイル記憶手段（２２ａ）と、前記測定結果記憶手段（２２ｂ）と、前記編集結果記憶手段（２２ｃ）とは、それぞれ着脱自在な外部記憶媒体であることを特徴とする第１６の態様に従う光ファイバ測定方法が提供される。
【００４５】
上記目的を達成するために、本発明の第２０の態様によれば、
前記オプチカルタイムドメインリフレクトメータ（２０）の前記測定結果記憶手段（２２ｂ）と前記編集結果記憶手段（２２ｃ）とが内部記憶媒体であるとき、前記測定結果記憶手段（２２ｂ）に記憶された測定結果データと、前記編集結果記憶手段（２２ｃ）に記憶された編集結果データとを外部に送出する通信部（２１）をさらに具備することを特徴とする第１６の態様に従う光ファイバ測定方法が提供される。
【００４６】
上記目的を達成するために、本発明の第２１の態様によれば、
前記オプチカルタイムドメインリフレクトメータ（２０）の前記表ファイル読み込み手段（２１）は、前記表ファイルを外部から通信により読み込む通信部（２１）を含むことを特徴とする第１６の態様に従う光ファイバ測定方法が提供される。
【００４７】
上記目的を達成するために、本発明の第２２の態様によれば、
前記外部端末（１０）の前記表示部（１４）に提示される前記ガイダンスとしての前記レポート形式選択画面には、前記作成すべきレポート形式として前記測定対象となる複数の光ファイバ（Ｆ）に対する各測定データを集計した表としてレポートするための「多芯集計表」モードと、前記測定対象となる複数の光ファイバ（Ｆ）に対する各測定データを集計した表に各測定波形を加えてレポートするための「多芯集計表＋波形」モードと、前記測定対象となる複数の光ファイバ（Ｆ）に対する各測定波形をレポートするための「波形レポート」モードとのうちの少なくとも一つが提示されることを特徴とする第１７の態様に従う光ファイバ測定方法が提供される。
【００４８】
上記目的を達成するために、本発明の第２３の態様によれば、
前記外部端末（１０）の前記表示部（１４）に提示される前記ガイダンスとしての前記プレビュー画面には、前記作成されたレポートの出力形式として前記作成されたレポートの内容を紙に印刷して出力する「印刷」モードと、前記作成されたレポートの内容をＰＤＦデータとして出力する「ＰＤＦ」モードと、前記作成されたレポートの内容をエクセルデータとして出力する「Ｅｘｃｅｌ」モードとのうちの少なくとも一つが提示されることを特徴とする第１７の態様に従う光ファイバ測定方法が提供される。
【００４９】  本発明によれば、予め外部端末で作成した表ファイルに基づいて光ファイバの測定を行うため、測定と同時に測定した光ファイバと測定データとを関連付けすることができるので、光ファイバの敷設／保守工事における作業の効率化を図ることができると共に、光ファイバ測定後に行う報告書作成作業において、測定した光ファイバと測定データとの関連付けをする必要がなくなるので、報告書作成の煩雑さを解消することができる。
【００５０】  本発明によれば、さらに、事前に作成した表ファイルの計画と異なる状況になり、表ファイルの計画を編集した場合であっても、編集内容を編集結果データとして記憶し、測定結果データと編集結果データとを基に報告書を作成することができるので、容易に測定データの同定や測定条件の管理を行うことができる。
【図面の簡単な説明】
【００５１】
【図１】図１は、本発明に係る光ファイバ測定システムの概略を示す概念図である。
【図２】図２は、本発明に係る光ファイバ測定システムにおける概略構成を示すシステムブロック図である。
【図３】図３は、本発明に係る光ファイバ測定システムにおける外部端末とオプチカルタイムドメインリフレクトメータとを含む全体の動作例を説明するために示すフローチャートである。
【図４Ａ】図４Ａは、本発明に係る光ファイバ測定システムにおける外部端末で最終的に作成された表ファイルの一部を示す説明図である。
【図４Ｂ】図４Ｂは、本発明に係る光ファイバ測定システムにおける外部端末で表ファイルを作成するための初期メニュー画面を例示する図である。
【図４Ｃ】図４Ｃは、本発明に係る光ファイバ測定システムにおける外部端末で表ファイルを作成するための入力画面を例示する図である。
【図４Ｄ】図４Ｄは、本発明に係る光ファイバ測定システムにおける外部端末で表ファイルを作成するための入力画面を例示する図である。
【図４Ｅ】図４Ｅは、本発明に係る光ファイバ測定システムにおける外部端末で最終的に作成された表ファイルの一部を例示する説明図である。
【図４Ｆ】図４Ｆは、本発明に係る光ファイバ測定システムにおける外部端末で最終的に作成された表ファイルの残部を例示する説明図である。
【図５】図５は、本発明に係る光ファイバ測定システムにおけるオプチカルタイムドメインリフレクトメータで外部端末から読み込んだ表ファイルの表示例を示す説明図である。
【図６】図６は、本発明に係る光ファイバ測定システムにおけるオプチカルタイムドメインリフレクトメータによる光ファイバ測定時の表ファイルの表示例を示す説明図である。
【図７】図７は、本発明に係る光ファイバ測定システムにおけるオプチカルタイムドメインリフレクトメータによる光ファイバの測定結果データ編集時の表示例を示す説明図である。
【図８】図８は、本発明に係る光ファイバ測定システムにおけるオプチカルタイムドメインリフレクトメータによる光ファイバの測定結果データ編集画面の一例を示す説明図である。
【図９Ａ】図９Ａは、本発明に係る光ファイバ測定システムにおけるオプチカルタイムドメインリフレクトメータによる光ファイバの測定完了後の測定結果データと編集結果データとを外部端末で表示した一例を示す説明図である。
【図９Ｂ】図９Ｂは、本発明に係る光ファイバ測定システムにおけるオプチカルタイムドメインリフレクトメータによる光ファイバの測定完了後の測定結果データと編集結果データとを外部端末で表示した他の例の一部を示す説明図である。
【図９Ｃ】図９Ｃは、本発明に係る光ファイバ測定システムにおけるオプチカルタイムドメインリフレクトメータによる光ファイバの測定完了後の測定結果データと編集結果データとを外部端末で表示した他の例の残部を示す説明図である。
【図１０Ａ】図１０Ａは、本発明に係る光ファイバ測定システムにおける外部端末で作成された光ファイバの測定の報告書の一例を示す説明図である。
【図１０Ｂ】図１０Ｂは、本発明に係る光ファイバ測定システムにおける外部端末で光ファイバの測定の報告書を作成するための初期画面を例示する図である。
【図１０Ｃ】図１０Ｃは、本発明に係る光ファイバ測定システムにおける外部端末で報告書を作成するために測定完了後の測定結果データと編集結果データとの読み込み画面を例示する図である。
【図１０Ｄ】図１０Ｄは、本発明に係る光ファイバ測定システムにおける外部端末で光ファイバの測定の報告書を作成するために測定完了後の測定結果データと編集結果データとの読み込み後画面を例示する図である。
【図１０Ｅ】図１０Ｅは、本発明に係る光ファイバ測定システムにおける外部端末で作成した光ファイバの測定の報告書を確認すると共に、作成した報告書の出力形式を選択するための画面を例示する図である。
【図１０Ｆ】図１０Ｆは、本発明に係る光ファイバ測定システムにおける外部端末で作成された光ファイバの測定の報告書の一例としてＰＤＦで出力する場合を示す説明図である。
【図１０Ｇ】図１０Ｇは、本発明に係る光ファイバ測定システムにおける外部端末で作成された光ファイバの測定の報告書の一例としてＰＤＦで出力する場合を示す説明図である。
【図１０Ｈ】図１０Ｈは、本発明に係る光ファイバ測定システムにおける外部端末で作成された光ファイバの測定の報告書の一例としてＰＤＦで出力する場合を示す説明図である。
【図１０Ｉ】図１０Ｉは、本発明に係る光ファイバ測定システムにおける外部端末で作成された光ファイバの測定の報告書の一例としてＰＤＦで出力する場合を示す説明図である。
【図１０Ｊ】図１０Ｊは、本発明に係る光ファイバ測定システムにおける外部端末で作成された光ファイバの測定の報告書の一例としてＰＤＦで出力する場合を示す説明図である。
【図１０Ｋ】図１０Ｋは、本発明に係る光ファイバ測定システムにおける外部端末で作成された光ファイバの測定の報告書の一例としてＰＤＦで出力する場合を示す説明図である。
【図１０Ｌ】図１０Ｌは、本発明に係る光ファイバ測定システムにおける外部端末で作成された光ファイバの測定の報告書の一例としてＰＤＦで出力する場合を示す説明図である。
【図１０Ｍ】図１０Ｍは、本発明に係る光ファイバ測定システムにおける外部端末で作成された光ファイバの測定の報告書の一例としてＰＤＦで出力する場合を示す説明図である。
【図１０Ｎ】図１０Ｎは、本発明に係る光ファイバ測定システムにおける外部端末で作成された光ファイバの測定の報告書の一例としてＰＤＦで出力する場合を示す説明図である。
【図１０Ｏ】図１０Ｏは、本発明に係る光ファイバ測定システムにおける外部端末で作成された光ファイバの測定の報告書の一例としてＰＤＦで出力する場合を示す説明図である。
【図１０Ｐ】図１０Ｐは、本発明に係る光ファイバ測定システムにおける外部端末で作成された光ファイバの測定の報告書の一例としてＥｘｃｅｌで出力する場合を示す説明図である。
【図１１】図１１は、本発明に係る光ファイバ測定システムにおける外部端末で設定するスキップ測定の表示例を示す説明図である。
【図１２】図１２は、本発明に係る光ファイバ測定システムにおける外部端末で設定されたスキップ測定を実施するオプチカルタイムドメインリフレクトメータでの表示例を示す説明図である。
【図１３】図１３は、本発明に係る光ファイバ測定システムにおける外部端末で作成する光ファイバの両端測定で使用する際の表ファイルの作成例を示す説明図である。
【図１４】図１４は、従来のオプチカルタイムドメインリフレクトメータの概略構成を示すブロック図である。
【発明を実施するための最良の形態】
【００５２】  以下、本発明に係るオプチカルタイムドメインリフレクトメータ及びそれを用いる光ファイバ測定システム及び光ファイバ測定方法の最良の実施の形態について、図１乃至図１３を参照しながら説明する。【００５３】  まず、本発明による光ファイバ測定システム１の基本的構成について説明する。【００５４】  本発明による光ファイバ測定システム１は、オプチカルタイムドメインリフレクトメータ２０及び外部端末１０を用いて、測定対象となる複数の光ファイバ（Ｆ）の各種特性を測定する光ファイバ測定システムであって、前記オプチカルタイムドメインリフレクトメータ２０は、前記測定対象となる複数の光ファイバＦに関する光ファイバ管理情報を表形式で表示する表示部２８と、前記表示部２８によって表形式で表示された前記測定対象となる複数の光ファイバＦに関する光ファイバ管理情報の中から測定すべき任意の光ファイバ（Ｆ）を選択する操作部２９と、前記操作部２９によって選択された任意の光ファイバＦの各種特性を前記測定対象となる複数の光ファイバＦに関する光ファイバ管理情報の中の対応する光ファイバ管理情報に基づいて測定された前記任意の光ファイバＦの各種特性の測定データとそれの前記対応する光ファイバ管理情報とを対応付けて記憶する記憶部２２とを具備し、前記表示部２８は、前記記憶部２２に対応付けて記憶された前記任意の光ファイバＦの各種特性の測定データとそれの前記対応する光ファイバ管理情報とを所定の形態で表示可能とし、前記外部端末１０は、前記光ファイバ管理情報として、前記測定対象となる複数の光ファイバＦに関する各種情報や施工場所に関する情報など敷設／保守工事の施工前に事前に与えられた光ファイバ管理情報を基に前記測定対象となる複数の光ファイバＦと該複数の光ファイバＦを測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバＦを一覧可能に表示する表形式のファイル画面を含むガイダンスを表示部１４によって順次に提示することにより、前記最終的に作成すべき表ファイルを作成すること許容する表ファイル作成手段１２ａを含み、前記オプチカルタイムドメインリフレクトメータ２０は、前記外部端末１０で作成された前記表ファイルに基づき前記測定対象となる光ファイバＦの各種特性を測定することを特徴とする。【００５５】  本発明による光ファイバ測定システム１は、好ましくは、上述した基本的構成に加えて、前記外部端末１０によって作成された前記表ファイルを外部から読み込む表ファイル読み込み手段（通信手段）２１と、前記表ファイル読み込み手段２１によって読み込まれた前記表ファイルの編集をする表ファイル編集手段２３ａと、前記表ファイル読み込み手段２１によって読み込まれた前記表ファイル及び前記表ファイル編集手段２３ａによって前記編集をされた表ファイルに基づき前記測定対象となる光ファイバＦを測定する光ファイバ特性測定手段３０（２４，２５，２６，２７���とをさらに具備し、前記記憶部２２は、前記光ファイバ特性測定手段３０（２４，２５，２６，２７）によって測定された前記測定対象となる複数の光ファイバＦと該複数の光ファイバＦの各測定データとが関連付けされた測定結果データを記憶する測定結果記憶手段２２ｂと、前記表ファイル編集手段２３ａによって前記表ファイルの編集をした際の編集内容と当該編集内容に基づき前記光ファイバ特性測定手段３０（２４，２５，２６，２７）によって測定された測定結果データを表す編集結果データとを記憶する編集結果記憶手段２２ｃとを含み、前記表示部２８は、少なくとも、前記表ファイル読み込み手段２１によって読み込まれた前記表ファイルに対応して前記測定対象となる複数の光ファイバＦを一覧可能に表示する表形式の画面と、前記光ファイバ特性測定手段３０（２４，２５，２６，２７）によって測定された前記測定対象となる複数の光ファイバＦと該複数の光ファイバＦの各測定データとを関連付けて表示する画面とを選択的に表示可能とし、前記表ファイル編集手段２３ａは、前記表ファイルの編集をするときに、前記測定対象となる複数の光ファイバＦを一覧可能に表示する表形式の画面を前記表示部２８に表示させることにより、前記表ファイルの編集を可能とし、前記光ファイバ特性測定手段３０（２４，２５，２６，２７）は、前記測定対象となる複数の光ファイバＦを測定するときに、前記測定対象となる複数の光ファイバＦと該複数の光ファイバＦの各測定データとを関連付けて表示する画面を前記表示部２８に表示させることを特徴とする。【００５６】  本発明による光ファイバ測定システム１は、さらに、好ましくは、上述した構成に加えて、前記光ファイバ特性測定手段３０（２４，２５，２６，２７）によって測定された前記測定対象となる複数の光ファイバＦに対する報告書を外部で作成するために、前記測定結果記憶手段２２ｂに記憶された測定結果データと、前記編集結果記憶手段２２ｃに記憶された編集結果データとが外部に送出可能であり、前記外部端末１０は、作成すべきレポート形式を選択するためのレポート形式選択画面、表ファイル読み込み画面、前記オプチカルタイムドメインリフレクトメータ２０の前記測定結果記憶手段２２ｂ及び前記編集結果記憶手段２２ｃに記憶された前記測定結果データと前記編集結果データとを読み込みためのファイル読み込み後画面、レポートの結果を確認すると共に、作成されたレポートの出力形式を選択するためのプレビュー画面を含むガイダンスを前記表示部１４によって順次に提示することにより、前記報告書を作成することを許容する報告書作成手段１２ｂを含むことを特徴とする。【００５７】  次に、図１及び図２を参照しながら、本実施形態の光ファイバ測定システムの各構成について具体的に且つ詳細に説明する。【００５８】  図１に示すように、光ファイバ測定システム１は、敷設／保守工事に係る管理やデータ作成などの各種処理を行う外部端末１０と、測定対象となる複数の光ファイバＦの特性評価ための測定を行うオプチカルタイムドメインリフレクトメータ（ＯＴＤＲ）２０とを備えて構成される。【００５９】  外部端末１０とＯＴＤＲ２０との間は有線または無線接続され、例えば、通信ケ��ブル等で各装置同士を直接的に接続したり、例えば、インターネット、ＬＡＮなどのネットワーク通信網を介して接続して、相互にデータ通信可能とされる。【００６０】  外部端末１０は、例えば、パーソナルコンピュータなどの外部と接続可能な端末機器であって、通信部１１と、制御部１２と、記憶部１３と、表示部１４と、操作部１５とを備えて概略構成される。【００６１】  通信部１１は、例えば、ＲＳ−２３２ＣやＵＳＢ、Ｅｔｈｅｒｎｅｔ（登録商標）などの有線用若しくは無線用の通信用インターフェースで構成され、各装置同士を直接的に接続したり、例えば、インターネット、ＬＡＮなどのネットワーク通信網を介して接続し、各種情報の通信を行う。【００６２】  制御部１２は、例えば、ＣＰＵやＲＯＭ、ＲＡＭなどを含むマイクロコンピュータで構成され、外部端末１０を構成する各部の動作を統括制御する。【００６３】  また、制御部１２は、測定対象となる複数の光ファイバＦの測定時に測定した測定対象となる複数の光ファイバＦと測定データとの関連付けをするために用いる表ファイルを作成する表ファイル作成手段１２ａと、測定対象となる複数の光ファイバＦの情報に関する各種情報やＯＴＤＲ２０で測定した測定データに基づいて敷設／保守工事の報告書を作成する報告書作成手段１２ｂとを備えている。【００６４】  表ファイル作成手段１２ａは、敷設／保守工事の際に、測定対象となる複数の光ファイバＦに関する各種情報や施工場所に関する情報などの光ファイバ管理情報を基に、測定対象となる光ファイバＦと測定した測定対象となる複数の光ファイバＦの測定データとの関連付けして管理するため表ファイルを後述するガイダンスに基き表示部１４の画面上で作成することを許容する。【００６５】  光ファイバ管理情報としては、例えば、心線識別ＩＤ（番号など）、ファイバ敷設区間、敷設距離、敷設工事担当者、全損失（設計値）、接続点情報、測定対象となる複数の光ファイバ（Ｆ）の各種特性を測定するための測定条件などの情報がある。【００６６】  これらの情報との関連、参照が容易となるよう、例えば、心線識別ＩＤ（番号）などをインデックスにした表ファイルの情報を表示部１４の後述する入力画面上で入力する。【００６７】  ここで、入力する情報としては、例えば、ファイル名（測定結果を保管するファイル名）、測定条件（例えば、距離レンジ、パルス幅、波長など）、施工予定位置（例えば、敷設／保守工事を行う場所の位置情報など）、施工情報（例えば、測定予定のファイバ、測定をスキップするファイバの情報など）、測定項目（例えば、全損失、接続損失、良否判定条件など）などの情報がある。【００６８】  また、表ファイル作成手段１２ａは、後述する編集結果データ記憶手段１３ｃに記憶された編集結果データを再利用して表ファイルを作成することもできる。【００６９】  報告書作成手段１２ｂは、表ファイル作成手段１２ａで作成した表ファイルに基づいて測定された測定対象となる複数の光ファイバＦの測定結果である測定結果データと、測定結果データと事前に指定した閾値との比較による良否判定情報、測定時に測定をスキップした光ファイバＦのスキップ情報、再測定する光ファイバＦの再測定情報などの測定結果や状況に応じて作成される編集結果データとを基に実施した敷設／保守工事に係る報告書を後述するガイダンスに基き表示部１４の画面上で作成することを許容する。【００７０】  記憶部１３は、例えば、磁気的記憶媒体、光学的記憶媒体若しくはＲＯＭ、ＲＡＭなどの半導体メモリによる内部記憶媒体で構成され、外部端末１０を駆動する上で必要な各種プログラムを記憶している。【００７１】  また、記憶部１３は、表ファイル記憶手段１３ａ、測定結果データ記憶手段１３ｂ、編集結果データ記憶手段１３ｃを備えている。【００７２】  表ファイル記憶手段１３ａは、外部端末１０で作成された敷設／保守工事に関する表ファイルを記憶する。【００７３】  測定結果データ記憶手段１３ｂは、表ファイル作成手段１２ａで作成した表ファイルに基づいてＯＴＤＲ２０で測定された測定対象となる複数の光ファイバＦと、測定された測定対象となる複数の光ファイバＦの測定データとが関連付けされた測定結果を測定結果データとして記憶する。【００７４】  編集結果データ記憶手段１３は、ＯＴＤＲ２０による光ファイバ測定時の測定状況に応じて、施工前に読み込んだ表ファイルの内容や測定結果を編集した際の各種編集内容を編集結果データとして記憶する。【００７５】  表示部１４は、例えば、ＣＲＴや液晶ディスプレイなどの表示機器で構成され、表ファイル作成時や報告書作成時におけるデータ処理内容や各種設定画面の表示など、外部端末１０を駆動制御した際の各種内容の表示を行う。【００７６】  操作部１５は、例えば、テンキーや操作ボタンなどで構成され、外部端末１０に関する操作情報などの各種情報の入力や各種設定を行う際に操作される。【００７７】  ＯＴＤＲ２０は、測定対象となる光ファイバＦの一端から測定光を出射して光ファイバＦの接続点の状態やその他の障害点などの特性検査を行う機器であり、通信部２１と、記憶部２２と、制御部２３と、光源部２４と、分岐部２５と、受光部２６と、信号処理部２７と、表示部２８と、操作部２９とを備えて概略構成される。【００７８】  ここで、光源部２４と、分岐部２５と、受光部２６と、信号処理部２７とは、制御部２３による制御の下に駆動される光ファイバ特性測定手段３０を構成している。【００７９】  通信部２１は、例えば、ＲＳ−２３２ＣやＵＳＢなどの有線用若しくは無線用の外部機器の通信部１１と同仕様の通信用インターフェースで構成され、装置同士を直接的に接続したり、例えば、インターネット、ＬＡＮなどのネットワーク通信網を介して接続し、各種情報の通信を行う。【００８０】  記憶部２２は、例えば、磁気的記憶媒体、光学的記憶媒体若しくはＲＯＭ、ＲＡＭなどの半導体メモリによる内部記憶媒体で構成され、当該ＯＴＤＲ２０を駆動する上で必要な各種情報を記憶している。【００８１】  また、記憶部２２は、表ファイル記憶手段２２ａ、測定結果データ記憶手段２２ｂ、編集結果データ記憶手段２２ｃを備えている。【００８２】  表ファイル記憶手段２２ａは、通信部２１を介して読み込まれる外部端末１０で作成された表ファイルを記憶する。【００８３】  測定結果データ記憶手段２２ｂは、外部端末１０の表ファイル作成手段１２ａで作成された表ファイルに基づいて��定された測定対象となる複数の光ファイバＦと、測定された測定対象となる複数の光ファイバＦの測定データとが関連付けされた測定結果や編集後の表ファイルを測定結果データとして記憶する。【００８４】  編集結果データ記憶手段２２ｃは、光ファイバ測定時の測定状況に応じて、施工前に読み込んだ表ファイルの内容や測定結果を編集した際の各種編集内容を編集結果データとして記憶する。【００８５】  制御部２３は、例えば、ＣＰＵやＲＯＭ、ＲＡＭなどを含むマイクロコンピュータで構成され、ＯＴＤＲ２０を構成する各部の動作を統括制御する。【００８６】  また、制御部２３は、予め，表ファイル記憶手段２２ａに記憶された表ファイルに基づき、光ファイバ特性測定手段３０（２４、２５、２６、２７）による測定対象となる複数の光ファイバＦの測定制御を行う。【００８７】  制御部２３に備えられている表ファイル編集手段２３ａは、例えば，測定対象となる複数の光ファイバＦの測定中に測定する光ファイバＦを新たに追加する場合、測定予定であった光ファイバＦをスキップする場合、測定したデータを全て初期化する場合、１度測定した光ファイバＦを再測定する場合、測定したデータを未測定の状態にする場合など事前に作成した表ファイルの計画と異なる状況になった場合に、操作部２９からの入力操作により表ファイルの編集処理を行う。【００８８】  光ファイバ特性測定手段３０を構成している光源部２４は、駆動回路、レーザダイオード（ＬＤ）等の発光素子を有し、制御部２３からの測定制御信号に基づいて中心波長λのパルス状の測定光（レーザ光）を出射する。【００８９】  光ファイバ特性測定手段３０を構成している分岐部２５は、例えば、光方向性結合器で構成され、光源部２４から出射されたパルス状の測定光を測定対象となる複数の光ファイバＦに入射させ、光ファイバＦから戻ってくる反射光（フレネル反射及び後方散乱光）を後述する受光部２６に分岐して出射させる。【００９０】  光ファイバ特性測定手段３０を構成している受光部２６は、例えば、フォトダイオードなどの受光素子、増幅器、Ａ／Ｄコンバータ等により構成されている。【００９１】  この受光部２６は、受光した反射光を電気信号に変換して増幅し、Ａ／Ｄコンバータにより所定周期でＡ／Ｄ変換した後、信号処理部２７へ波形信号として出力する。【００９２】  光ファイバ特性測定手段３０を構成している信号処理部２７は、受光部２６においてＡ／Ｄ変換された波形信号と制御部２３からの信号処理信号に基づいて対数変換処理や平均加算処理などの各種信号処理を行って得られる波形信号を波形データとして表示部２８へ出力する。【００９３】  表示部２８は、例えば、液晶ディスプレイなどの表示機器で構成され、信号処理部２７で処理された波形データの表示、表ファイルの表示や各種設定画面の表示など、ＯＴＤＲ２０に関する各種表示を行う。【００９４】  操作部２９は、例えば、テンキーや操作ボタンなどで構成され、ＯＴＤＲ２０に関する操作情報などの各種情報の入力や各種設定を行う際に操作される。【００９５】  以上のように構成される光ファイバ測定システムにおいて、本発明によるオプチカルタイムドメインリフレクトメータ２０は、基本的には、測定対象となる複数の光ファイバＦに関する光ファイバ管理情報を表形式で表示する表示部２８と、前記表示部２８によって表形式で表示された前記測定対象となる複数の光ファイバＦに関する光ファイバ管理情報の中から測定すべき任意の光ファイバＦを選択する操作部２９と、前記操作部２９によって選択された任意の光ファイバＦの各種特性を前記測定対象となる複数の光ファイバＦに関する光ファイバ管理情報の中の対応する光ファイバ管理情報に基づいて測定された前記任意の光ファイバＦの各種特性の測定データとそれの前記対応する光ファイバ管理情報とを対応付けて記憶する記憶部２２とを具備し、前記表示部２８は、前記記憶部２２に対応付けて記憶された前記任意の光ファイバＦの各種特性の測定データとそれの前記対応する光ファイバ管理情報とを所定の形態で表示可能とすることを特徴とする。【００９６】  本発明によるオプチカルタイムドメインリフレクトメータ２０は、好ましくは、上記基本的構成に加えて、前記光ファイバ管理情報として、前記測定対象となる複数の光ファイバＦに関する各種情報及び施工場所に関する情報を含む敷設／保守工事の施工前に事前に与えられた光ファイバ管理情報を基に前記測定対象となる複数の光ファイバＦと該複数の光ファイバＦを測定した際の各測定データとの関連付けをするための表ファイルであって、前記測定対象となる複数の光ファイバＦと該複数の光ファイバＦを測定した際の各測定データとの関連付けを前記敷設／保守工事の施工時に編集可能に作成されている前記表ファイルを外部から読み込む表ファイル読み込み手段２１と、前記表ファイル読み込み手段２１によって読み込まれた前記表ファイルの編集をする表ファイル編集手段２３ａと、前記表ファイル読み込み手段２１によって読み込まれた前記表ファイル及び前記表ファイル編集手段２３ａによって前記編集をされた表ファイルに基づき前記測定対象となる光ファイバＦを測定する光ファイバ特性測定手段３０（２４，２５，２６，２７）とをさらに具備し、前記記憶部２２は、前記光ファイバ特性測定手段３０（２４，２５，２６，２７）によって測定された前記測定対象となる複数の光ファイバＦと該複数の光ファイバＦの各測定データとが関連付けされた測定結果データを記憶する測定結果記憶手段２２ｂと、前記表ファイル編集手段２３ａによって前記表ファイルの編集をした際の編集内容と当該編集内容に基づき前記光ファイバ特性測定手段３０（２４，２５，２６，２７）によって測定された測定結果データを表す編集結果データとを記憶する編集結果記憶手段２２ｃとを含み、前記表示部２８は、少なくとも、前記表ファイル読み込み手段２１によって読み込まれた前記表ファイルに対応して前記測定対象となる複数の光ファイバＦを一覧可能に表示する表形式の画面と、前記光ファイバ測定手段３０（２４，２５，２６，２７）によって測定された前記測定対象となる複数の光ファイバＦと該複数の光ファイバＦの各測定データとを関連付けて表示する画面とを選択的に表示可能とし、前記表ファイル編集手段２３ａは、前記表ファイルの編集をするときに、前記測定対象となる複数の光ファイバＦを一覧可能に表示する表形式の画面を前記表示部２８に表示させることに���り、前記表ファイルの編集を可能とし、前記光ファイバ測定手段３０（２４，２５，２６，２７）は、前記測定対象となる複数の光ファイバＦを測定するときに、前記測定対象となる複数の光ファイバＦと該複数の光ファイバＦの各測定データとを関連付けて表示する画面を前記表示部２８に表示させ、前記光ファイバ測定手段３０（２４，２５，２６，２７）によって測定された前記測定対象となる複数の光ファイバＦに対する報告書を外部で作成するために、前記測定結果記憶手段２２ｂに記憶された測定結果データと、前記編集結果記憶手段２２ｃに記憶された編集結果データとが外部に送出可能であることを特徴とする。【００９７】  また、本発明による光ファイバ測定方法は、基本的には、オプチカルタイムドメインリフレクトメータ２０及び外部端末１０を用いて、測定対象となる複数の光ファイバＦの各種特性を測定する光ファイバ測定方法であって、前記外部端末１０において、表ファイル作成手段１２ａにより、前記測定対象となる複数の光ファイバＦに関する各種情報や施工場所に関する情報など敷設／保守工事の施工前に事前に与えられた光ファイバ管理情報を基に前記測定対象となる複数の光ファイバＦと該複数の光ファイバＦを測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバＦを一覧可能に表示する表形式のファイル画面を含むガイダンスを表示部１４によって順次に提示することにより、前記最終的に作成すべき表ファイルを作成すること許容するステップと、前記外部端末１０の前記表示部１４に順次に提示される前記初期メニュー画面、前記入力画面及び前記ファイル画面を含む前記ガイダンス基づいて前記事前に与えられた光ファイバ管理情報を個別に入力することにより、前記最終的に作成すべき表ファイルを作成するステップと、前記外部端末１０で作成された前記最終的に作成すべき表ファイルに基づいて前記オプチカルタイムドメインリフレクトメータ２０の表示部２８に、前記測定対象となる複数の光ファイバＦに関する光ファイバ管理情報を表形式で表示するステップと、前記表示部２８によって表形式で表示された前記測定対象となる複数の光ファイバＦに関する光ファイバ管理情報の中から測定すべき任意の光ファイバＦを前記オプチカルタイムドメインリフレクトメータ２０の操作部２９によって選択するステップと、前記操作部２９によって選択された任意の光ファイバＦの各種特性を前記測定対象となる複数の光ファイバＦに関する光ファイバ管理情報の中の対応する光ファイバ管理情報に基づいて測定された前記任意の光ファイバＦ）各種特性の測定データとそれの前記対応する光ファイバ管理情報とを対応付けて前記オプチカルタイムドメインリフレクトメータ２０の記憶部２２に記憶するステップと、前記記憶部２２に対応付けて記憶された前記任意の光ファイバ（Ｆ）の各種特性の測定データとそれの前記対応する光ファイバ管理情報とを所定の形態で前記オプ��カルタイムドメインリフレクトメータ２０の前記表示部２８に表示するステップとを具備し、前記外部端末１０で作成された前記表ファイルに基づき前記オプチカルタイムドメインリフレクトメータ２０によって前記測定対象となる光ファイバＦの各種特性を測定することを特徴とする。【００９８】  本発明による光ファイバ測定方法は、好ましくは、上述した基本的構成に加えて、前記外部端末１０の前記表示部１４上で作成された前記最終的に作成すべき表ファイルを表ファイル記憶手段１３ａに記憶するステップと、前記外部端末１０の表ファイル記憶手段１３ａに記憶された前記最終的に作成すべき表ファイルを前記オプチカルタイムドメインリフレクトメータ２０の表ファイル読み込み手段２１によって読み込むステップと、前記表ファイル読み込み手段２１によって読み込まれた前記最終的に作成すべき表ファイルを前記オプチカルタイムドメインリフレクトメータ２０の表ファイル編集手段２３ａによって編集するステップと、前記表ファイル読み込み手段２１によって読み込まれた前記最終的に作成すべき表ファイル及び前記表ファイル編集手段２３ａによって編集された前記最終的に作成すべき表ファイルに基づき前記オプチカルタイムドメインリフレクトメータ（２０）の光ファイバ特性測定手段３０（２４，２５，２６，２７）によって前記測定対象となる光ファイバＦを測定するステップと、前記光ファイバ特性測定手段３０（２４，２５，２６，２７）によって測定された前記測定対象となる複数の光ファイバＦと該複数の光ファイバＦの各測定データとが関連付けされた測定結果データを前記オプチカルタイムドメインリフレクトメータ２０の測定結果記憶手段２２ｂによって記憶するステップと、前記表ファイル編集手段２３ａによって前記表ファイルの編集をした際の編集内容と当該編集内容に基づき前記光ファイバ特性測定手段３０（２４，２５，２６，２７）によって測定された測定結果データを表す編集結果データとを前記オプチカルタイムドメインリフレクトメータ２０の編集結果記憶手段２２ｃによって記憶するステップと、少なくとも、前記表ファイル読み込み手段２１によって読み込まれた前記表ファイルに対応して前記測定対象となる複数の光ファイバＦを一覧可能に表示する表形式の画面と、前記光ファイバ特性測定手段３０（２４，２５，２６，２７）によって測定された前記測定対象となる複数の光ファイバＦと該複数の光ファイバＦの各測定データとを関連付けて表示する画面とを前記オプチカルタイムドメインリフレクトメータ２０の前記表示部２８に選択的に表示可能とするステップと、前記表ファイル編集手段２３ａによって、前記表ファイルの編集をするときに、前記測定対象となる複数の光ファイバＦを一覧可能に表示する表形式の画面を前記オプチカルタイムドメインリフレクトメータ２０の前記表示部２８に表示させることにより、前記表ファイルの編集を可能とするステップと、前記光ファイバ特性測定手段３０（２４，２５，２６，２７）によって前記測定対象となる複数の光ファイバＦを測定する際に、前記測定対象となる複数の光ファイバＦと該測定対象となる複数の光ファイバＦの各測定データとを関連付けて表示する画面を前記オプチカルタイムドメインリフレクトメータ２０の前記表示部２８に表示させるステップとをさらに具備することを特徴としている。【００９９】  本発明による光ファイバ測定方法は、好ましくは、上述した構成に加えて、前記光ファイバ特性測定手段３０（２４，２５，２６，２７）によって測定された前記測定対象となる複数の光ファイバＦに対する前記レポートを前記外部端末１０で作成するために、前記オプチカルタイムドメインリフレクトメータ２０の前記測定結果記憶手段２２ｂに記憶された測定結果データと、前記編集結果記憶手段２２ｃに記憶された編集結果データとを前記外部端末１０に送出可能とするステップと、前記外部端末１０において、報告書作成手段１２ｂにより、作成すべきレポートの形式を選択するためのレポート形式選択画面、前記レポートの作成のための表ファイル読み込み画面、前記レポートの作成のためのデータを読み込むファイル読み込み後画面、前記レポートの作成結果を確認すると共に、作成されたレポートの出力形式を選択するためのプレビュー画面を含むガイダンスを前記表示部１４によって順次に提示することにより、前記報告書を作成することを許容するステップと、前記外部端末１０の前記表示部１４に順次に提示される前記レポート形式選択画面、表ファイル読み込み画面、前記オプチカルタイムドメインリフレクトメータ２０の前記測定結果記憶手段２２ｂ及び前記編集結果記憶手段２２ｃに記憶された前記測定結果データと前記編集結果データとを読み込みための前記ファイル読み込み後画面、前記プレビュー画面を含むガイダンスに基づいて、最終的に作成すべきレポートを作成するステップとをさらに具備することを特徴とする。【０１００】  次に、図３乃至図１３を参照しながら、上述したオプチカルタイムドメインリフレクトメータ２０及び外部端末１０を用いた光ファイバ測定システム１によって実行される光ファイバ測定方法について具体的な動作例を挙げて説明する。【０１０１】  ここでは、敷設現場で光ファイバＦを敷設し、この敷設した光ファイバＦの特性評価を行う測定対象となる複数の光ファイバＦの敷設工事に採用され、外部端末１０としてオフィスに設置されたパーソナルコンピュータを使用し、外部端末１０とＯＴＤＲ２０とを通信ケーブルを介して直接的に有線接続して相互にデータのやり取りを行う光ファイバ測定システム１で実行される光ファイバ測定方法について説明する。【０１０２】  まず、オペレータはオフィスにおいて、図３に示すフローチャートにおけるステップＳＴ１で、敷設工事の施工前に、測定対象となる複数の光ファイバＦと、これらの測定対象となる複数の光ファイバＦを測定した各測定データとを関連付けさせるため、施工前に事前に与えられる様々な光ファイバ管理情報を基に、外部端末１０の表示部１４を用いて、例えば、図４Ａに示すような最終的に作成すべき表ファイルを作成する。【０１０３】  この際、オペレータは、外部端末１０の表示部１４に順次に提示される図４Ｂ乃至図４Ｅに示すような初期メニュー画面、入力画面及び前記ファイル画面を含むガイダンス基づいて事前に与えられた光ファイバ管理情報を外部端末１０の操作部１５を用いて個別に入力することにより、図４Ｅ及び図４Ｆ��示すような前記最終的に作成すべき表ファイルを作成する。【０１０４】  なお、図４Ｅでは、画面に全ての項目を表示しきれないために最終的に作成すべき表ファイルの一部を示している。【０１０５】  そして、この画面では表示されずに隠れてしまっている最終的に作成すべき表ファイルの残部については、図４Ｅの画面をスクロールした画面として図４Ｆに示すように、個々の光ファイバＦを識別するための心線番号や、多数の光ファイバＦが束ねられた多芯ケーブルを識別するためのケーブル番号も、ファイル名に対応する項目として、表ファイルに入力されている。【０１０６】  ここで、外部端末１０は、前述したように、敷設された測定対象となる複数の光ファイバＦに関する各種情報や施工場所に関する情報など敷設／保守工事の施工前に事前に与えられた光ファイバ管理情報を基に測定対象となる複数の光ファイバＦと該複数の光ファイバＦを測定した際の測定データとの関連付けをするための表ファイルであって、前記関連付けを前記敷設／保守工事の施工時に編集可能となる前記表ファイルを作成するための初期メニュー画面、前記事前に与えられた光ファイバ管理情報を個別に入力するための入力画面及び最終的に作成すべき表ファイルとして前記測定対象となる複数の光ファイバＦを一覧可能に表示する表形式のファイル画面を含むガイダンスを表示部１４によって順次に提示することにより、前記最終的に作成すべき表ファイルを作成すること許容する表ファイル作成手段１２ａを含むと共に、測定後に、作成すべきレポートの形式を選択するためのレポート形式選択画面、前記レポートの作成のための表ファイル読み込み画面、前記レポートの作成のためのデータを読み込むファイル読み込み後画面、前記レポートの作成結果を確認すると共に、作成されたレポートの出力形式を選択するためのプレビュー画面を含むガイダンスを前記表示部１４によって順次に提示することにより、前記報告書を作成することを許容する報告書作成手段１２ｂとを含んで準備されている。【０１０７】  図４Ｂは、本発明に係る光ファイバ測定システムにおける外部端末１０で表ファイルを作成するために、該外部端末１０の表示部１４に最初に提示されるガイダンスである立ち上げ画面（初期メニュー画面）である「計画測定エディタ」画面を例示する図である。【０１０８】  この「計画測定エディタ」画面中にウィンド表示される初期メニュー画面としての「スタート画面」には、「新規作成」と「既存のファイルを開く」との二つのメニューが表示される。【０１０９】  ここで、オペレータが「新規作成」を選択すると、次に提示されるガイダンスである図４Ｃに示すようなファイル名の作成を含む「測定条件設定」画面が該外部端末１０の表示部１４に表示される。【０１１０】  この図４Ｃは、本発明に係る光ファイバ測定システム１における外部端末１０で表ファイルを作成するための入力画面として外部端末１０の表示部１４に表示される「測定条件設定」画面を例示する図である。【０１１１】  ここで、オペレータが、「測定条件設定画面」における「ファイル名」の（１）の欄のプルダウンボタンをクリックすることにより、図４Ｄに示すように、予め設定されている選択肢として幾つか要素���プルダウン表示される。【０１１２】  図４Ｄにおいてプルダウン表示される選択肢としての要素は、「判別文字」、「カスタム１」、「カスタム２」、「連番」、「芯線名称」、「波長」、「距離レンジ」、「パルス幅」があり、オペレータがそれらの選択肢の中から「芯線名称」を選択すると、「ファイル名」の（１）の欄に「芯線名称」が設定される。【０１１３】  同様にして、オペレータが、図４Ｄの「測定条件設定画面」における「ファイル名」の（２），（３），（４），（５）の欄のプルダウンボタンを順次にクリックすることにより、上述したと同様にプルダウン表示される選択肢の中からそれぞれ「カスタム１」、「波長」、「カスタム２」、「なし」を選択したとすると、「測定条件設定画面」における「ファイル名」の（２），（３），（４），（５）の欄に「カスタム１」、「波長」、「カスタム２」、「なし」がそれぞれ設定される。【０１１４】  すなわち、図４Ｄにおいて、「ファイル名」の（１），（２），（３），（４），（５）の欄に、例えば、「芯線名称」、「カスタム１」、「波長」、「カスタム２」、「なし」をオペレータが操作部１５を用いて入力すると、それに基づいて表ファイル作成手段１２ａによって「ファイル名」が自動的に作成されるようになされている。【０１１５】  そして、この「測定条件設定画面」における「芯線名」、「測定パラメータ」、「アクセスマスタの型名選択」、「波長」の欄等にそれぞれ、オペレータは、測定対象となる複数の光ファイバＦの芯線名称、測定に用いられるパルス光の波長、測定対象となる複数の光ファイバＦの芯線番号、測定対象となる複数の光ファイバＦの数等の情報を操作部１５を用いて個別に入力する。【０１１６】  図４Ｅ，Ｆは、本発明に係る光ファイバ測定システム１における外部端末１０で最終的に作成すべき表ファイルの一部及び残部として外部端末１０の表示部１４に表示される画面の説明図である。【０１１７】  この画面は、図４Ｂの「測定条件設定画面」における「ＯＫ」ボタンをクリックすることによって表示される「計画測定エディタ」画面である。【０１１８】  そして、この図４Ｅ，Ｆに示される「計画測定エディタ」画面上で、オペレータが測定条件として「距離レンジ」、「パルス幅」、「平均化回数」の各欄に測定対象となる複数の光ファイバＦ毎に所望の数値を操作部１５を用いて個別に入力することにより、最終的に作成すべき表ファイルが完成する。【０１１９】  このようにして作成された表ファイルは、外部端末１０の表ファイル記憶手段１３ａに記憶される。【０１２０】  そして、オペレータは、外部端末１０とＯＴＤＲ２０とを通信ケーブルを介して接続することにより、図３に示すフローチャートにおけるステップＳＴ２で、ＯＴＤＲ２０の表ファイル読み込み手段（通信手段）２１に対して外部端末１０の表ファイル記憶手段１３ａに記憶された表ファイルを外部端末１０の通信部１１を介して読み込ませる。【０１２１】  このとき、ＯＴＤＲ２０の表ファイル読み込み手段（通信手段）２１が読み込んだ表ファイルは、ＯＴＤＲ２０の制御部２３によって、該ＯＴＤＲ２０の表示部２８に、例えば、図５に示すように、光ファイバ測定システム１によって測定する測��対象となる複数の光ファイバＦが一覧できるような表形式で表示されるようになされている。【０１２２】  次に、オペレータは、敷設現場においてＯＴＤＲ２０と測定対象となる光ファイバＦとを接続して、ＯＴＤＲ２０の表示部２８に表示された測定対象となる光ファイバＦの欄を選択後に操作部２９を所定操作してＯＴＤＲ２０の光ファイバ特性測定手段３０（２４、２５、２６、２７）を駆動させることにより、図３に示すフローチャートにおけるステップＳＴ３で測定対象となる光ファイバＦの測定を開始する。【０１２３】  そして、ＯＴＤＲ２０の光ファイバ特性測定手段３０（２４、２５、２６、２７）によって光ファイバＦ毎に測定された測定データは、制御部２３によって、例えば、図６に示すように測定対象の光ファイバＦと該光ファイバＦの測定データとが関連付けされた状態で測定結果データとしてＯＴＤＲ２０の表示部２８に表示されるようになされている。【０１２４】  また、このときＯＴＤＲ２０の光ファイバ特性測定手段３０（２４、２５、２６、２７）によって測定された光ファイバＦと該光ファイバＦの測定データとが関連付けされた測定結果データは、制御部２３によって、ＯＴＤＲ２０の測定結果データ記憶手段２２ｂに記憶されるようになされている。【０１２５】  また、表ファイルや測定結果データの編集をした際の編集内容を表す編集結果データは、制御部２３によって、ＯＴＤＲ２０の編集結果データ記憶手段２２ｃに記憶されるようになされている。【０１２６】  そして、オペレータは、図３に示すフローチャートにおけるステップＳＴ４でＯＴＤＲ２０の表示部１４の表示内容を確認しながら光ファイバＦの測定が事前に計画した通りに測定しているか否かの判断をする。【０１２７】  このとき、測定が計画通り行われている場合には（ステップＳＴ４−Ｙｅｓ）、オペレータは、図３に示すフローチャートにおけるステップＳＴ５でそのまま測定が終了するまで計画通り測定対象となる複数の光ファイバＦの測定を続ける。【０１２８】  一方、測定が計画通り行われていない場合には（ステップＳＴ４−Ｎｏ）、オペレータは、図３に示すフローチャートにおけるステップＳＴ６で、編集すべき内容に応じて操作部２９を操作して表ファイルの編集を行った後、再度、図３に示すフローチャートにおけるステップＳＴ３、ステップＳＴ４を経てステップＳＴ５の処理に移行させる。【０１２９】  図３に示すフローチャートにおけるステップＳＴ６での編集処理の内容としては、例えば、図７に示す編集時画面のように、「新規挿入」モード、「初期化」モード、「再測定」モード等がある。【０１３０】  まず、この編集時画面において、オペレータが、ファイル名を選択した後に「新規挿入」キーを選択すると、「新規挿入」モードとして選択した欄に新規に行が追加され、表ファイルに新たに測定する光ファイバＦを追加することができる。【０１３１】  また、オペレータが、編集時画面において、「初期化」キーを選択すると、「初期化」モードとして既に測定を完了し、測定結果が関連付けされている場合であっても、これまでの全ての測定データを消去して未測定時の状態に戻すことができる。【０１３２】  また、編集時画面において、ファイル名選���後に、「測定」キーを選択すると、「再測定」モードとしてファイル名に関連した光ファイバＦの特性を再測定し、測定結果を更新することができる。【０１３３】  さらに、編集時画面において、図７の「読み込み実行」キーを選択すると、図８に示すような測定内容の詳細が表示される画面になり、各項目の編集が可能となる。【０１３４】  このとき、制御部２３によって編集後の最新の測定結果データが測定結果データ記憶手段２２ａに更新記憶されると共に、編集内容が編集結果データ記憶手段２２ｃに記憶されるようになされている。【０１３５】  そして、オペレータは、測定を予定した全ての光ファイバＦの測定が終了した後、ＯＴＤＲ２０をオフィスに持ち帰り、該ＯＴＤＲ２０と外部端末１０とを再び通信ケーブルを介して接続することにより、図３に示すフローチャートにおけるステップＳＴ７でＯＴＤＲ２０の測定結果データ記憶手段２２ａ及び編集結果データ記憶手段２２ｃに記憶された測定結果データと編集結果データとを外部端末１０に読み込ませる。【０１３６】  これにより、外部端末１０の表示部１４には、制御部２３によって、図９Ａ，Ｂ，Ｃに示すように、光ファイバＦ毎に関連付けされた測定結果データと編集結果データとが同時に表示されるようになされている。【０１３７】  図９Ａは、本発明に係る光ファイバ測定システムにおけるオプチカルタイムドメインリフレクトメータによる光ファイバの測定完了後の測定結果データと編集結果データとを外部端末で表示した一例を図４Ａに対応させて示す説明図である。【０１３８】  図９Ｂは、本発明に係る光ファイバ測定システムにおけるオプチカルタイムドメインリフレクトメータによる光ファイバの測定完了後の測定結果データと編集結果データとを外部端末で表示した他の例の一部を図４Ｅに対応させて示す説明図である。【０１３９】  図９Ｃは、本発明に係る光ファイバ測定システムにおけるオプチカルタイムドメインリフレクトメータによる光ファイバの測定完了後の測定結果データと編集結果データとを外部端末で表示した他の例の残部を図４Ｆに対応させて示す説明図である。【０１４０】  なお、オペレータが、図４Ｂに示す初期メニュー画面の「既存のファイルを開く」を選択すると、その選択肢の一つとして図３に示すフローチャートにおけるステップＳＴ７とステップＳＴ２との間が破線で示したように結合され、後日、編集結果データを再度表ファイルとして読み込むことにより、測定時に変更された測定条件や、未測定情報などに基づいて前に測定作業を終了した状態から、測定作業を継続させることができる。【０１４１】  そして、オペレータは、図３に示すフローチャートにおけるステップＳＴ８で、外部端末１０の操作部１５を操作して、前述したような報告書作成のためのガイダンスを該外部端末１０の表示部１４に提示させることにより、当該該報告書作成のためのガイダンスに基づいて、測定結果データと編集結果データとを基に光ファイバＦの測定に係る図１０Ａに示すような報告書を作成し、一連の作業が終了する。【０１４２】  図１０Ｂは、本発明に係る光ファイバ測定システム１における外部端末１０で光ファイバＦの測定の報告書を作成するために、該外部端末１０の表示部１��に最初に提示されるガイダンスである立ち上げ画面（初期画面）として「レポート形式選択」画面を例示する図である。【０１４３】  ここで、外部端末１０の前記表示部１４に提示される前記ガイダンスとしての前記「レポート形式選択」画面には、例えば、作成すべきレポート形式として前記測定対象となる複数の光ファイバＦに対する各測定データを集計した表としてレポートするための「多芯集計表」モードと、前記測定対象となる複数の光ファイバＦに対する各測定データを集計した表に各測定波形を加えてレポートするための「多芯集計表＋波形」モードと、前記測定対象となる複数の光ファイバＦに対する各測定波形をレポートするための「波形レポート」モードとが提示される。【０１４４】  図１０Ｃは、本発明に係る光ファイバ測定システム１における外部端末１０で報告書を作成するために、測定完了後の測定結果データと編集結果データとの読み込み画面としてレポートの作成のための「表ファイル読み込み」画面を外部端末１０の表示部１４で例示する図である。【０１４５】  この「表ファイル読み込み」画面では、Ｎｅｗ  Ｐｌａｎ画面においてＴｏｋｙｏ  Ｕｅｎｏ  Ｃｏｎｓｔｒｕｃｔｉｏｎの表ファイルが選択される場合を示している。【０１４６】  ここで、読み込む表ファイルには、測定条件に関する情報、芯線番号、ファイル名が記録されており、それらは測定結果データと関連付けられている。【０１４７】  図１０Ｄは、本発明に係る光ファイバ測定システム１における外部端末１０で光ファイバの測定の報告書を作成するために測定完了後の測定結果データと編集結果データとの読み込み後画面として「波形ファイルの選択」画面を外部端末１０の表示部１４で例示する図である。【０１４８】  この読み込み後画面は、図１０Ｃの表ファイル読み込み画面において、オペレータが所望の表ファイルを選択した場合に表示され、この読み込み後画面において、オペレータが所望の表ファイルを選択して表ファイルを読み込むと、それらに関連付けられた測定結果（波形データを含む）を自動的に読み込むことができるので、オペレータにとっては便利な機能となる。【０１４９】  図１０Ｅは、本発明に係る光ファイバ測定システム１における外部端末１０で作成した光ファイバの測定の報告書を確認すると共に、外部端末１０で作成した報告書の出力形式を選択するための「プレビュー」画面としての「印刷プレビュー」画面を外部端末１０の表示部１４で例示する図である。【０１５０】  この「印刷プレビュー」画面には、作成したレポートの結果をオペレータに確認させるための光パルス結果Ａが波形データを伴って表示されると共に、例えば、作成されたレポートの出力形式として、例えば、作成されたレポートの内容を紙に印刷して出力する「印刷」モードと、前記作成されたレポートの内容をＰＤＦデータとして出力する「ＰＤＦ」モードと、前記作成されたレポートの内容をエクセルデータとして出力する「Ｅｘｃｅｌ」モードとが提示される。【０１５１】  図１０Ｆは、本発明に係る光ファイバ測定システム１における外部端末１０で作成された光ファイバの測定の報告書の一例を示す説明図である。【０１５２】  図１０Ｆに示すように、作成した報告書の一例としては、例えば、測定結果データと編集結果データとを基にして、測定が完了した光ファイバＦについては波形データが測定データと共に表示され、測定が完了していない光ファイバＦの波形データは、空欄で表示されるなど、測定対象となる複数の光ファイバＦとそれらの各測定結果データとが関連付けされた状態で作成されている。【０１５３】  図１０Ｆ乃至図１００は、本発明に係る光ファイバ測定システム１における外部端末１０で作成された測定対象となる複数の光ファイバＦの測定の報告書の一例として芯線番号Ｔｏｋｙｏ  Ｕｅｎｏ  ０００１乃至Ｔｏｋｙｏ  Ｕｅｎｏ  ００２０についてそれぞれ波長が１３１０ｎｍと１５５０ｎｍの場合の波形データと測定データとをＰＤＦで出力する場合を示す説明図である。【０１５４】  図１０Ｐは、本発明に係る光ファイバ測定システム１における外部端末１０で作成された測定対象となる複数の光ファイバＦの測定の報告書の一例として芯線番号Ｔｏｋｙｏ  Ｕｅｎｏ  ０００１乃至Ｔｏｋｙｏ  Ｕｅｎｏ  ００２０についてそれぞれ波長が１３１０ｎｍと１５５０ｎｍの場合の測定データを一覧表としてＥｘｃｅｌで出力する場合を示す説明図である。【０１５５】  すなわち、このＥｘｃｅｌで出力する場合の報告書では、測定対象となる複数の光ファイバＦの各測定データを一覧表として出力するので、各測定データの内容を一目で判断することが可能である。【０１５６】  なお、上述した光ファイバ測定方法の動作例において、図５では光ファイバＦを同定するための表示方法として表示画面上にファイル名を表示している。【０１５７】  しかるに、これに限定されることはなく、例えばファイル名の他に、心線番号、測定条件や測定結果などの光ファイバ管理情報を同時に表示することにより、測定する際に測定対象となる複数の光ファイバＦと該測定対象となる複数の光ファイバＦの各測定結果や各測定データとを一目で関連付けすることができる。【０１５８】  また、図６では、光ファイバＦの測定時において、表の一番上の光ファイバＦから下に向かって順番に測定した例で説明している。【０１５９】  しかるに、表の順番通りに測定する必要はなく、図６中にも示すように未測定の光ファイバＦの欄には、例えば、「−−−」などの未測定を表す表示をすることにより、例えば、表の一番下から測定したり一つおきに測定した場合であっても、一目で測定／未測定の判断が可能なであるため、確実に特性評価を測定することができる。【０１６０】  次に、上述した光ファイバ測定方法の応用例について、応用例１、応用例２としてそれぞれ具体的に説明する。【０１６１】  （応用例１：スキップ測定）
測定対象となる複数の光ファイバＦは敷設されているにもかかわらず、ある特定の光ファイバＦについて現在運用中であったりまたは光ファイバＦや施工途中であったりすることにより、実際上、測定することができない光ファイバＦが存在していることが事前に明らかな場合がある。【０１６２】  このような場合には、表ファイルを作成する時点で、スキップ対象となる光ファイバＦの表示欄に測定をスキップすることが明確になるように表示することができる。【０１６３】  表示例としては、例えば、図１１に示すように、外部端末１０において、表ファイルの中から該当する光ファイバＦの欄を選択して測定をスキップすることを設定する（例えば、スキップする光ファイバＦの行を他の行と色違い及び斜体表示とする）。【０１６４】  これにより、例えば、図１２に示すように、ＯＴＤＲ２０の表示部２８において、測定する光ファイバＦとスキップする光ファイバＦとが明確に識別可能となるように表示される（例えば、スキップする光ファイバＦの行に「Ｓｋｉｐ」と表示されている）。【０１６５】  これにより、実際に、ＯＴＤＲ２０で測定する光ファイバＦを間違えることなく、正確に測定した光ファイバＦと測定データとの関連付けすることができると共に、後日測定を行うような場合であっても既に測定済の光ファイバＦであるか否かを容易に判断することができる。【０１６６】  （応用例２：両端測定）
ＯＴＤＲ２０を用いた光ファイバＦの測定方法として、より正確な測定を実施する方法として両端測定がある。【０１６７】  この両端測定は、測定対象となる光ファイバＦの両端からそれぞれＯＴＤＲ２０で測定した測定データの平均を取り、その平均値を測定対象の光ファイバＦの測定データとする方法である。【０１６８】  しかるに、こので複数の光ファイバＦを測定する場合、一人のオペレータが両方向から複数本測定するのは困難であるため、少なくとも二人以上の複数人のオペレータが必要となる。【０１６９】  この複数人のオペレータによる両端測定の場合、異なるオペレータがそれぞれ測定した測定データがどの光ファイバＦをどの方向から測定したものであるかを同定する作業が面倒である。【０１７０】  また、両端測定は、同じ測定条件（例えば、距離レンジ、パルス幅、波長など）で測定しなければならず、測定条件の管理が困難である。【０１７１】  そこで、本例の光ファイバ測定システム１を用いて、例えば、図１３に示すように、外部端末１０において１本の光ファイバＦの順方向／逆方向それぞれの表ファイルを作成し、この表ファイルに基づいて両端測定を行うことにより、測定時に異なるオペレータが測定した場合であっても、測定した光ファイバＦと測定データとを容易に関連させることができるため、両端測定における作業の効率化を図ることができる。【０１７２】  このように、上述した光ファイバ測定システム１は、外部端末１０にて予め測定対象となる複数の光ファイバＦと該測定対象となる複数の光ファイバＦの各測定データとの関連付けを行うための表ファイルを作成してＯＴＤＲ２０に読み込ませる。【０１７３】  そして、ＯＴＤＲ２０は、読み込んだ表ファイルに基づいて測定した光ファイバＦと該測定した光ファイバＦの測定データとを関連付けした測定結果データと、事前に作成した表ファイルの計画と異なる状況になった場合の編集結果である編集結果データとを記憶する。【０１７４】  また、ＯＴＤＲ２０に記憶された測定結果データと編集結果データとを外部端末１０に読み込ませ、外部端末１０で読み込んだデータに基づいて報告書が作成される。【０１７５】  従って、オペレータは、光ファイバの測定時や報告書作成時における測定した光ファイバＦと測定データとの関連付けをする必要がなくなるので、多芯光ファイバを測定する場合であっても、容易に、且つ、効率的に光ファイバＦの測定を伴う敷設／保守工事を行うことができる。【０１７６】  また、光ファイバＦの測定時において、事前に作成した表ファイルの計画と異なる状況になり、オペレータが表ファイルの計画を編集した場合であっても、編集内容を編集結果データとして記憶し、測定結果データと編集結果データとを基に報告書を作成することができるので、測定データの同定や測定条件の管理が簡便になる。【０１７７】  ところで、上述した形態では、外部端末１０とＯＴＤＲ２０との間における各種データのやり取りを、各装置に設けられた通信部１１、２１同士を有線若しくは無線接続してデータ通信する例として説明している。【０１７８】  しかるに、例えば、フロッピィ（登録商標）ディスク、ＰＣカード、ＵＳＢメモリなどの外部記憶媒体に各種データを記憶させて外部端末１０とＯＴＤＲ２０との間でデータのやり取りをすることもできる。【０１７９】  また、上述した各装置に具備される記憶部１３、２２は、予め実装される内部メモリとして説明している。【０１８０】  しかるに、これに限定されることはなく、例えば、フロッピィ（登録商標）ディスク、ＰＣカード、ＵＳＢメモリなどの外部記憶媒体を予め具備しておき、内部メモリの代わりに、着脱自在な外部記憶媒体へ記憶させることもできる。【０１８１】  そして、本発明は、以上説明したような最良の形態による記述及び図面により限定されることはない。【０１８２】  すなわち、この形態に基づいて当業者等によりなされる他の形態、実施例及び運用技術等はすべて本発明の範疇に含まれることは勿論である。
【図１】
0004546525.tif 000002
【図２】
0004546525.tif 000003
【図３】
0004546525.tif 000004
【図４Ａ】
0004546525.tif 000005
【図４Ｂ】
0004546525.tif 000006
【図４Ｃ】
0004546525.tif 000007
【図４Ｄ】
0004546525.tif 000008
【図４Ｅ】
0004546525.tif 000009
【図４Ｆ】
0004546525.tif 000010
【図５】
0004546525.tif 000011
【図６】
0004546525.tif 000012
【図７】
0004546525.tif 000013
【図８】
0004546525.tif 000014
【図９Ａ】
0004546525.tif 000015
【図９Ｂ】
0004546525.tif 000016
【図９Ｃ】
0004546525.tif 000017
【図１０Ａ】
0004546525.tif 000018
【図１０Ｂ】
0004546525.tif 000019
【図１０Ｃ】
0004546525.tif 000020
【図１０Ｄ】
0004546525.tif 000021
【図１０Ｅ】
0004546525.tif 000022
【図１０Ｆ】
0004546525.tif 000023
【図１０Ｇ】
0004546525.tif 000024
【図１０Ｈ】
0004546525.tif 000025
【図１０Ｉ】
0004546525.tif 000026
【図１０Ｊ】
0004546525.tif 000027
【図１０Ｋ】
0004546525.tif 000028
【図１０Ｌ】
0004546525.tif 000029
【図１０Ｍ】
0004546525.tif 000030
【図１０Ｎ】
0004546525.tif 000031
【図１０Ｏ】
0004546525.tif 000032
【図１０Ｐ】
0004546525.tif 000033
【図１１】
0004546525.tif 000034
【図１２】
0004546525.tif 000035
【図１３】
0004546525.tif 000036
【図１４】
0004546525.tif 000037